(57)【要約】【課題】８０２．１１ａｄ規格のビームフォーミングトレーニング（ＢＦＴ）を実行する時間を短縮すること。【解決手段】ＴＸＳＳ（送信セクタスイープ）終了後、ＳＵ−ＭＩＭＯ（Single User Multi-Input Multi-Output）のＢＦＴ（ビームフォーミングトレーニング）を実施するか否かを示すBF training type FIELDを含む第１フィードバックフレームをイニシエータから受信し、前記BF training type FIELDが前記ＳＵ−ＭＩＭＯのＢＦＴを実施することを示す場合、前記ＴＸＳＳの結果に基づいた、ＳＮＲ(Ｓｉｇｎａｌ  ｔｏ  Ｎｏｉｓｅ  Ｒａｔｉｏ)とセクタＩＤ（Ｉｄｅｎｔｉｆｉｅｒ）オーダーとを含む第２フィードバックを前記イニシエータに送信し、前記ＳＮＲと前記セクタＩＤオーダーとに基づいて、前記レスポンダとの間で、前記ＳＵ−ＭＩＭＯのＢＦＴを実施する。【選択図】図３
2019193261.tif 000002
【特許請求の範囲】
【請求項１】
通信方法であって、以下を含む、
イニシエータは、
ＴＸＳＳ（送信セクタスイープ）終了後、ＳＵ−ＭＩＭＯ（Single User Multi-Input Multi-Output）のＢＦＴ（ビームフォーミングトレーニング）を実施するか否かを示すBF training type FIELDを含む第１フィードバックフレームをレスポンダに送信し、
前記レスポンダは、
前記第１フィードバックフレームを受信し、
前記BF training type FIELDが前記ＳＵ−ＭＩＭＯのＢＦＴを実施することを示す場合、前記ＴＸＳＳの結果に基づいた、ＳＮＲ(Ｓｉｇｎａｌ  ｔｏ  Ｎｏｉｓｅ  Ｒａｔｉｏ)とセクタＩＤ（Ｉｄｅｎｔｉｆｉｅｒ）オーダーとを含む第２フィードバックを前記イニシエータに送信し、
前記イニシエータは、
前記第２フィードバックを受信し、
前記ＳＮＲと前記セクタＩＤオーダーとに基づいて、前記レスポンダとの間で、前記ＳＵ−ＭＩＭＯのＢＦＴを実施する。
【請求項２】
前記ＴＸＳＳは、
ＤＭＧ  Ｂｅａｃｏｎ、ＳＳＷ（Ｓｅｃｔｏｒ  Ｓｗｅｅｐ）、Ｓｈｏｒｔ  ＳＳＷ及びＤＭＧ  ＢＲＰ（Ｂｅａｍ  Ｒｅｆｉｎｅｍｅｎｔ  Ｐｒｏｔｏｃｏｌ）−ＴＸのいずれかを用いて実行される、
請求項１記載の通信方法。
【請求項３】
前記BF training type FIELDは、
ＳＩＳＯのＢＦＴを示す場合は０にセットし、
前記ＳＵ−ＭＩＭＯのＢＦＴを示す場合は１にセットし、
ＭＵ−ＭＩＭＯのＢＦＴを示す場合は２にセットする、
請求項１記載の通信方法。
【請求項４】
イニシエータの通信方法であって、以下を含む、
ＴＸＳＳ終了後、ＳＵ−ＭＩＭＯのＢＦＴを実施するか否かを示すBF training type FIELDを含むフィードバックフレームをレスポンダに送信し、
前記レスポンダから前記ＴＸＳＳの結果に基づいた、ＳＮＲとセクタＩＤオーダーと、を含む第２フィードバック受信した場合、前記ＳＮＲと前記セクタＩＤオーダーとに基づいて、前記レスポンダとの間で、前記ＳＵ−ＭＩＭＯのＢＦＴを実施する。
【請求項５】
前記ＴＸＳＳは、
ＤＭＧ  Ｂｅａｃｏｎ、ＳＳＷ（Ｓｅｃｔｏｒ  Ｓｗｅｅｐ）、Ｓｈｏｒｔ  ＳＳＷ及びＤＭＧ  ＢＲＰ（Ｂｅａｍ  Ｒｅｆｉｎｅｍｅｎｔ  Ｐｒｏｔｏｃｏｌ）−ＴＸのいずれかを用いて実行される、
請求項４記載のイニシエータの通信方法。
【請求項６】
前記BF training type FIELDは、
ＳＩＳＯのＢＦＴを示す場合は０にセットし、
前記ＳＵ−ＭＩＭＯのＢＦＴを示す場合は１にセットし、
MU-MIMOのＢＦＴを示す場合は２にセットする、
請求項４記載のイニシエータの通信方法。
【請求項７】
レスポンダの通信方法であって、以下を含む、
ＴＸＳＳ（送信セクタスイープ）終了後、ＳＵ−ＭＩＭＯ（Single User Multi-Input Multi-Output）のＢＦＴ（ビームフォーミングトレーニング）を実施するか否かを示すBF training type FIELDを含む第１フィードバックフレームをイニシエータから受信し、
前記BF training type FIELDが前記ＳＵ−ＭＩＭＯのＢＦＴを実施することを示す場合、前記ＴＸＳＳの結果に基づいた、ＳＮＲ(Ｓｉｇｎａｌ  ｔｏ  Ｎｏｉｓｅ  Ｒａｔｉｏ)とセクタＩＤ（Ｉｄｅｎｔｉｆｉｅｒ）オーダーとを含む第２フィードバックを前記イニシエータに送信し、
前記ＳＮＲと前記セクタＩＤオーダーとに基づいて、前記レスポンダとの間で、前記ＳＵ−ＭＩＭＯのＢＦＴを実施する。
【請求項８】
前記ＴＸＳＳは、
ＤＭＧ  Ｂｅａｃｏｎ、ＳＳＷ（Ｓｅｃｔｏｒ  Ｓｗｅｅｐ）、Ｓｈｏｒｔ  ＳＳＷ及びＤＭＧ  ＢＲＰ（Ｂｅａｍ  Ｒｅｆｉｎｅｍｅｎｔ  Ｐｒｏｔｏｃｏｌ）−ＴＸのいずれかを用いて実行される、
請求項７記載のレスポンダの通信方法。
【請求項９】
前記BF training type FIELDは、
ＳＩＳＯのＢＦＴを示す場合は０にセットし、
前記ＳＵ−ＭＩＭＯのＢＦＴを示す場合は１にセットし、
MU-MIMOのＢＦＴを示す場合は２にセットする、
請求項７記載のレスポンダの通信方法。
【請求項１０】
イニシエータの通信装置であって、以下を含む、
ＭＡＣ回路は、ＴＸＳＳ終了後、ＳＵ−ＭＩＭＯのＢＦＴを実施するか否かを示すBF  training  type  FIELDを含む第１のフィードバックフレームを生成し、
送信回路は、前記第１のフィードバックフレームをレスポンダに送信し、
受信回路は、前記レスポンダから第２のフィードバックを受信し、
前記ＭＡＣ回路は、
前記第２のフィードバックフレームが、前記レスポンダから前記ＴＸＳＳの結果に基づいた、ＳＮＲとセクタＩＤオーダーと、を含む場合、前記ＳＮＲと前記セクタＩＤオーダーとに基づいて、前記レスポンダとのＢＦＴを前記送信回路、前記受信回路を用いて実施する。
【請求項１１】
前記ＴＸＳＳは、
ＤＭＧ  Ｂｅａｃｏｎ、ＳＳＷ（Ｓｅｃｔｏｒ  Ｓｗｅｅｐ）、Ｓｈｏｒｔ  ＳＳＷ及びＤＭＧ  ＢＲＰ（Ｂｅａｍ  Ｒｅｆｉｎｅｍｅｎｔ  Ｐｒｏｔｏｃｏｌ）−ＴＸのいずれかを用いて実行される、
請求項１０記載のイニシエータの通信装置。
【請求項１２】
前記BF training type FIELDは、
ＳＩＳＯのＢＦＴを示す場合は０にセットし、
前記ＳＵ−ＭＩＭＯのＢＦＴを示す場合は１にセットし、
MU-MIMOのＢＦＴを示す場合は２にセットする、
請求項１１記載のイニシエータの通信装置。
【請求項１３】
レスポンダの通信装置であって、以下を含む、
受信回路は、ＴＸＳＳ（送信セクタスイープ）終了後、ＳＵ−ＭＩＭＯ（Single User Multi-Input Multi-Output）のＢＦＴ（ビームフォーミングトレーニング）を実施するか否かを示すBF training type FIELDを含む第１フィードバックフレームをイニシエータから受信し、
ＭＡＣ回路は、
前記BF training type FIELDが前記ＳＵ−ＭＩＭＯのＢＦＴを実施することを示す場合、前記ＴＸＳＳの結果に基づいた、ＳＮＲ(Ｓｉｇｎａｌ  ｔｏ  Ｎｏｉｓｅ  Ｒａｔｉｏ)とセクタＩＤ（Ｉｄｅｎｔｉｆｉｅｒ）オーダーとを含む第２フィードバックを生成する、
送信回路は、
前記第２フィードバックを前記イニシエータに送信し、
前記ＭＡＣ回路は、
前記送信回路が、前記第２フィードバックを前記イニシエータに送信した後に、前記ＳＮＲと前記セクタＩＤオーダーとに基づいて、前記イニシエータとの間で、前記送信回路と前記受信回路とを用いて、前記ＳＵ−ＭＩＭＯのＢＦＴを実施する。
【請求項１４】
前記ＴＸＳＳは、
ＤＭＧ  Ｂｅａｃｏｎ、ＳＳＷ（Ｓｅｃｔｏｒ  Ｓｗｅｅｐ）、Ｓｈｏｒｔ  ＳＳＷ及びＤＭＧ  ＢＲＰ（Ｂｅａｍ  Ｒｅｆｉｎｅｍｅｎｔ  Ｐｒｏｔｏｃｏｌ）−ＴＸのいずれかを用いて実行される、
請求項１３記載のレスポンダの通信装置。
【請求項１５】
前記BF training type FIELDは、
ＳＩＳＯのＢＦＴを示す場合は０にセットし、
前記ＳＵ−ＭＩＭＯのＢＦＴを示す場合は１にセットし、
MU-MIMOのＢＦＴを示す場合は２にセットする、
請求項１３記載のレスポンダの通信装置。
【発明の詳細な説明】
【技術分野】
【０００１】
本開示は、通信装置及び通信方法に関する。
【背景技術】
【０００２】
ミリ波通信にＭＩＭＯ方式を適用し、高速データ伝送を実現する方式として、IEEE802.11ay規格（１１ａｙ規格という）の標準化が行われている（非特許文献２、３、４を参照）。
【先行技術文献】
【非特許文献】
【０００３】
【非特許文献１】IEEE802.11ad-2016
【非特許文献２】IEEE802.11-17/1233r1
【非特許文献３】IEEE802.11-18/0430r2
【非特許文献４】IEEE802.11-18/0089r0
【発明の概要】
【発明が解決しようとする課題】
【０００４】
８０２．１１ａｄ規格（非特許文献１を参照）のビームフォーミングトレーニング（ＢＦＴ）を実行する時間を短縮することが求められている。
【課題を解決するための手段】
【０００５】
本開示の一態様に係る通信方法では、イニシエータは、ＴＸＳＳ（送信セクタスイープ）終了後、ＳＵ−ＭＩＭＯ（Single User Multi-Input Multi-Output）のＢＦＴ（ビームフォーミングトレーニング）を実施するか否かを示すBF training type FIELDを含む第１フィードバックフレームをレスポンダに送信し、前記レスポンダは、前記第１フィードバックフレームを受信し、前記BF training type FIELDが前記ＳＵ−ＭＩＭＯのＢＦＴを実施することを示す場合、前記ＴＸＳＳの結果に基づいた、ＳＮＲ(Ｓｉｇｎａｌ  ｔｏ  Ｎｏｉｓｅ  Ｒａｔｉｏ)とセクタＩＤ（Ｉｄｅｎｔｉｆｉｅｒ）オーダーとを含む第２フィードバックを前記イニシエータに送信し、前記イニシエータは、前記前記第２フィードバックを受信し、前記ＳＮＲと前記セクタＩＤオーダーとに基づいて、前記レスポンダとの間で、前記ＳＵ−ＭＩＭＯのＢＦＴを実施する。
【０００６】
本開示の一態様に係るイニシエータの通信方法では、ＴＸＳＳ終了後、ＳＵ−ＭＩＭＯのＢＦＴを実施するか否かを示すBF training type FIELDを含むフィードバックフレームをレスポンダに送信し、前記レスポンダから前記ＴＸＳＳの結果に基づいた、ＳＮＲとセクタＩＤオーダーと、を含む第２フィードバック受信した場合、前記ＳＮＲと前記セクタＩＤオーダーとに基づいて、前記レスポンダとの間で、前記ＳＵ−ＭＩＭＯのＢＦＴを実施する。
【０００７】
本開示の一態様に係るレスポンダの通信方法では、ＴＸＳＳ（送信セクタスイープ）終了後、ＳＵ−ＭＩＭＯ（Single User Multi-Input Multi-Output）のＢＦＴ（ビームフォーミングトレーニング）を実施するか否かを示すBF training type FIELDを含む第１フィードバックフレームをイニシエータから受信し、前記BF training type FIELDが前記ＳＵ−ＭＩＭＯのＢＦＴを実施することを示す場合、前記ＴＸＳＳの結果に基づいた、ＳＮＲ(Ｓｉｇｎａｌ  ｔｏ  Ｎｏｉｓｅ  Ｒａｔｉｏ)とセクタＩＤ（Ｉｄｅｎｔｉｆｉｅｒ）オーダーとを含む第2フィードバックを前記イニシエータに送信し、前記ＳＮＲと前記セクタＩＤオーダーとに基づいて、前記レスポンダとの間で、前記ＳＵ−ＭＩＭＯのＢＦＴを実施する。
【０００８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【０００９】
開示された実施形態のさらなる利益や利点は、明細書および図面から明らかになる。利益および／または利点は、明細書および図面のさまざまな実施形態および特徴によって個々に得られてもよく、実施形態および特徴すべてがこうした利益および／または利点の１または複数を得るために提供される必要はない。
【００１０】
本開示の前述および他の特徴は、添付図面に関連して、以下の記載および添付の特許請求の範囲によって、より完全に明確となる。これらの図面は本開示に係るいくつかの実施形態を描写しているだけであり、したがって、その範囲を限定するものと考えられるべきではないことを理解して、本開示は、添付図面を使用して、さらに具体的かつ詳細に記載されている。
【図面の簡単な説明】
【００１１】
【図１】実施の形態１に係るＭＩＭＯ通信システムの構成の一例を示す図
【図２Ａ】通信装置の構成の一例を示す図
【図２Ｂ】通信装置の構成の一例を示す図
【図３】８０２．１１ａｄ規格のＢＦＴ手順の一例を示す図
【図４】８０２．１１ａｙドラフト規格のＳＩＳＯ ＢＲＰ ＴＸＳＳ手順を示す図
【図５】８０２．１１ａｙドラフト規格のＳＵ−ＭＩＭＯ  ＢＦＴ手順の一例を示す図
【図６】８０２．１１ａｙドラフト規格のＳＵ−ＭＩＭＯ  ＢＦＴ手順の一例を示す図
【図７】８０２．１１ａｙドラフト規格のＭＵ−ＭＩＭＯ  ＢＦＴ手順の例を示す図
【図８】８０２．１１ａｙドラフト規格のＭＵ−ＭＩＭＯ  ＢＦＴ手順の例を示す図
【図９】図３から図８において用いるＢＲＰフレームのフォーマットを示す図
【図１０Ａ】通信装置が、図３、図４、図５、図６、図７、図８のＢＦＴ手順を行う場合、始めに送信するＢＲＰフレームのフォーマットを示す図
【図１０Ｂ】通信装置が、図３、図４、図５、図６、図７、図８のＢＦＴ手順を行う場合、始めに送信するＢＲＰフレームのフォーマットを示す図
【図１０Ｃ】通信装置が、図３、図４、図５、図６、図７、図８のＢＦＴ手順を行う場合、始めに送信するＢＲＰフレームのフォーマットを示す図
【図１０Ｄ】通信装置が、図３、図４、図５、図６、図７、図８のＢＦＴ手順を行う場合、始めに送信するＢＲＰフレームのフォーマットを示す図
【図１１】通信装置が、図３、図４、図５、図６、図７、図８のＢＦＴ手順を行う場合、始めに送信するＢＲＰフレームのフォーマットを示す図
【図１２】レスポンダがＢＲＰフレームを受信した場合、ＢＦＴ手順の種類（図３、図４、図５、図６、図７、図８）を判別する手順を示すフローチャート
【図１３】イニシエータが図１０Ａ〜図１０Ｄ、図１１のＢＲＰフレームを各手順の先頭ＢＲＰフレームとして用いることにより、ＳＵ−ＭＩＭＯ  ＢＦＴのＳＩＳＯ  Ｆｅｅｄｂａｃｋ  ｐｒｏｃｅｄｕｒｅと組み合わせて用いることのできるＳＩＳＯ  ＢＦＴの種類を示す図
【図１４】通信装置が、図１０Ａ〜図１０Ｄ、図１１に示すＢＲＰフレームを用いて図６のＳＵ−ＭＩＭＯ  ＢＦＴを行う場合の手順の詳細を示す図
【図１５】共通のＦｅｅｄｂａｃｋ  ＢＲＰフレームのフォーマットを示す図
【図１６】実施の形態２のＢＲＰフレームのフォーマットを示す図
【図１７】イニシエータ及びレスポンダが図１６のＢＲＰフレームを用いて、ＳＩＳＯ  ＢＲＰ  ＴＸＳＳ及びＳＵ−ＭＩＭＯ  ＢＦＴを行う手順を示す図
【図１８】レスポンダが図１６のＢＲＰフレームを受信した場合、ＢＦＴ手順の種類（図３、図４、図５、図６、図７、図８）を判別する手順を示すフローチャート
【図１９】ＢＲＰフレームの図１６とは別のフォーマットの一例を示す図
【図２０】レスポンダが図１９のＢＲＰフレームを受信した場合、ＢＦＴ手順の種類（図３、図４、図５、図６、図７、図８）を判別する手順を示すフローチャート
【図２１】イニシエータ及びレスポンダがＳＩＳＯ  ＢＦＴとＳＵ−ＭＩＭＯ  ＢＦＴを行う手順の一例を示す図
【図２２】イニシエータ及びレスポンダがＳＩＳＯ  ＢＦＴとＳＵ−ＭＩＭＯ  ＢＦＴを行う手順の一例を示す図
【図２３】イニシエータ及びレスポンダがＳＩＳＯ  ＢＦＴとＳＵ−ＭＩＭＯ  ＢＦＴを行う手順の一例を示す図
【図２４】ＢＲＰフレームのフォーマットを示す図である。
【発明を実施するための形態】
【００１２】
以下の詳細な説明では、添付図面を参照しており、説明の一部に組み込まれている。図面において、文脈が別途指示しない限り、類似の符号は通常、類似のコンポーネントを識別する。本開示の態様を、多種多様の異なる構成においてアレンジ、置き換え、混合、および設計できることは容易に理解され、そのすべては明示的に予期され、本開示の一部をなす。
【００１３】
８０２．１１ａｄ規格（非特許文献１を参照）のビームフォーミングトレーニング（ＢＦＴ）手順について、図を用いて説明する。
【００１４】
図１は、本実施の形態に係るＭＩＭＯ通信システムの構成の一例を示す図である。通信装置１００、通信装置２００、通信装置３００はそれぞれ１つ以上のアンテナアレイを備える。各アンテナアレイは、１つ以上のアンテナ素子を含む。
【００１５】
通信装置１００は、例えば２つのアンテナアレイ１０１ａ、１０１ｂを備え、いずれかのアンテナアレイ（例えばアンテナアレイ１０１ａ）を用いて、通信装置２００及び通信装置３００とＳＩＳＯ（Single Input Single Output）通信を行う。
【００１６】
また、通信装置１００は、複数のアンテナアレイ（例えばアンテナアレイ１０１ａ及び１０１ｂ）を用いて、通信装置２００及び通信装置３００とＳＵ−ＭＩＭＯ（Single User Multi-Input Multi-Output）通信を行う。
【００１７】
また、通信装置１００は、複数のアンテナアレイ（例えばアンテナアレイ１０１ａ及び１０１ｂ）を用いて、通信装置２００及び通信装置３００とＭＵ−ＭＩＭＯ（Multi User-MIMO）通信を行う。SU-MIMOでは、同一時点（１つの送信フレーム）で１つの通信装置（例えば通信装置２００と通信装置３００のいずれか）と通信を行うのに対し、MU-MIMOでは、同一時点（１つの送信フレーム）で複数の通信装置（例えば通信装置２００と通信装置３００のそれぞれ）と通信を行う。
【００１８】
図２Ａは、通信装置１００の構成の一例を示す図である。通信装置１００は、一例として、ホスト１３０、ＭＡＣ回路１２０、ＰＨＹ回路１１０、ＲＦモジュール回路１０９を備える。
【００１９】
ＲＦモジュール回路１０９は、一例として、アンテナアレイ１０１ａ、１０１ｂ、スイッチ回路（ＳＷ）１０２ａ、１０２ｂ、送信ＲＦ（Radio Frequency）回路１０３ａ、１０３ｂ、受信ＲＦ回路１０４ａ、１０４ｂを備える。なお、送信ＲＦ（Radio Frequency）回路１０３ａ、１０３ｂ、受信ＲＦ回路１０４ａ、１０４ｂは、送信高周波回路、受信高周波回路と呼んでもよい。
【００２０】
アンテナアレイ１０１ａ、１０１ｂは、無線信号の送信及び受信を行う。スイッチ回路１０２ａ、１０２ｂは、アンテナアレイ１０１ａ、１０１ｂの接続先を切り替え、動作モードが送信である場合、送信ＲＦ回路１０３ａ、１０３ｂへ接続し、動作モードが受信である場合、受信ＲＦ回路１０４ａ、１０４ｂへ接続することで、アンテナアレイ１０１ａ、１０１ｂを送信と受信とに対応させるための回路である。
【００２１】
なお、通信装置１００は、スイッチ回路１０２ａ、１０２ｂを備える代わりに、送信アンテナアレイ（例えば、図示しない１０１ａ―１及び１０１ａ―２）及び受信アンテナアレイ（例えば、図示しない１０２ａ―１及び１０２ａ―２）をそれぞれ備えてもよい。
【００２２】
送信ＲＦ回路１０３ａ、１０３ｂは、Ｄ／Ａコンバータ１１１ａ、１１１ｂが出力する送信ベースバンド信号を変調し、高周波（例えば６０ＧＨｚ帯信号）へ変換し、アンテナアレイ１０１ａ、１０１ｂへ出力する。また、送信ＲＦ回路１０３ａ、１０３ｂは、アンテナアレイ１０１ａ、１０１ｂを構成するアンテナ素子（図示しない）毎に出力信号の位相及び／又は出力を制御することにより、アンテナアレイ１０１ａ、１０１ｂの送信指向性制御を行う。なお、送信指向性制御とは、送信方向によって無線信号の送信強度を制御することである。
【００２３】
受信ＲＦ回路１０４ａ、１０４ｂは、アンテナアレイ１０１ａ、１０１ｂが出力する受信無線信号を受信ベースバンド信号へ変換し、Ａ／Ｄコンバータ１１２ａ、１１２ｂへ出力する。また、受信ＲＦ回路１０４ａ、１０４ｂは、アンテナアレイ１０１ａ、１０１ｂを構成するアンテナ素子（図示しない）毎に入力信号の位相及び/又は出力を制御することにより、アンテナアレイ１０１ａ、１０１ｂの受信指向性制御を行う。なお、受信指向性制御とは、受信方向によって無線信号の受信感度を制御することである。
【００２４】
ＰＨＹ回路１１０は、一例として、Ｄ／Ａコンバータ１１１ａ、１１１ｂ、Ａ／Ｄコンバータ１１２ａ、１１２ｂ、符号化・変調回路１１４、復調・復号回路１１５を備える。
【００２５】
Ｄ／Ａコンバータ１１１ａ、１１１ｂは、符号化・変調回路１１４が出力する送信ディジタルベースバンド信号をディジタル／アナログ変換し、送信ＲＦ回路１０３ａ、１０３ｂへ出力する。
【００２６】
Ａ／Ｄコンバータ１１２ａ、１１２ｂは、受信ＲＦ回路１０４ａ、１０４ｂが出力する受信アナログベースバンド信号をアナログ／ディジタル変換し、復調・復号回路１１５へ出力する。
【００２７】
アレイ制御回路１１３は、ＭＡＣ回路１２０のＢＦ制御回路１２４からの指示に基づき、送信ＲＦ回路１０３ａ、１０３ｂ及び受信ＲＦ回路１０４ａ、１０４ｂへ送信指向性制御、受信指向性制御の指示を行う。
【００２８】
符号化・変調回路１１４は、ＭＡＣ回路１２０のフレーム生成回路１２２が出力する送信ＭＡＣフレーム（送信ＰＨＹペイロードという）の符号化（例えば、ＬＤＰＣ：Low Density Parity Check符号化）、変調（例えば、π/2-BPSK：Binary Phase Shift Keying）を行い、送信ディジタルベースバンド信号を生成し、Ｄ／Ａコンバータ１１１ａ、１１１ｂへ出力する。
【００２９】
復調・復号回路１１５は、Ａ／Ｄコンバータ１１２ａ、１１２ｂが出力する受信ディジタルベースバンド信号の復調及び復号を行い、復号したＰＨＹデータ（受信ＭＡＣフレームという）をＭＡＣ回路１２０のフレーム受信回路１２３へ出力する。
【００３０】
復調・復号回路１１５が行う復調処理は、例えば、同期処理（プリアンブル検出、周波数同期、タイミング同期）、等化（受信信号のひずみを補正すること）、データ復調（例えばπ/2-BPSKのシンボルデータをビットデータ及び尤度データに変換）を含む。また、復号処理は、例えば、ＬＤＰＣ復号を含む。
【００３１】
ＭＡＣ回路１２０は、一例として、アクセス制御回路１２１、フレーム生成回路１２２、フレーム受信回路１２３、ＢＦ（ビームフォーミング）制御回路１２４を備える。
【００３２】
アクセス制御回路１２１は、ホスト１３０から入力されるユーザデータ、及び受信されたデータに応じ、送信モードと受信モードとの切り替え、送信タイミングの決定を行い、フレーム生成回路１２２、フレーム受信回路１２３、ＢＦ制御回路１２４の制御を行う。また、ホスト１３０から入力されるユーザデータを送信するため、送信タイミングを決定し、フレーム生成回路１２２を制御する。また、ビームフォーミングトレーニング（ＢＦＴ）を実施するため、ＢＦＴ実施タイミングを決定し、ＢＦ制御回路１２４を制御する。
【００３３】
ホスト１３０は、例えば、ＣＰＵ（Ｃｅｎｔｒａｌ  Ｐｒｏｃｅｓｓｉｎｇ  Ｕｎｉｔ）、または、ＳｏＣ（Ｓｙｓｔｅｍ  ｏｎ  Ｃｈｉｐ）を備え、ＯＳ（Ｏｐｅｒａｔｉｎｇ  Ｓｙｓｔｅｍ）、または、アプリケーションソフトウェア（一例として、ウェブブラウザ、ファイル管理ソフト）を実行する。ＯＳ、または、アプリケーションソフトウェアの要求に応じて、ＭＡＣ回路に対し、例えば、起動、停止、ステータス情報の取得の制御、データ送信要求、受信データの取得を行う。
【００３４】
図２Ｂは、通信装置１００ａの構成の一例を示す図である。通信装置１００とは異なる別の一例を示す。通信装置１００ａは、一例として、ホスト１３０、ＭＡＣ回路１２０、ＰＨＹ回路１１０ａ、ＲＦモジュール回路１０９ａを備える。
【００３５】
ＰＨＹ回路１１０ａは、ＩＦ（Intermediate Frequency）転送回路１５２を備える。ＩＦ転送回路１５２は、Ｄ／Ａコンバータ１１１ａ、１１１ｂが出力したアナログベースバンド信号（ＩＱ信号と呼ぶ）を送信ＩＦ（Intermediate Frequency）帯信号と呼ばれる送信ベースバンド信号とＲＦ信号の中間周波数に変調し、ＩＦケーブル１５３を経由してＲＦモジュール回路へ転送する。また、ＩＦ転送回路１５２は、アレイ制御回路１１３が出力する制御信号をＩＦ帯制御信号に変調し、送信ＩＦ帯信号と多重してＩＦケーブル１５３に出力してもよい。
【００３６】
ＲＦモジュール回路１０９ａは、ＩＦ転送回路１５１を備える。また、図２Ａの送信ＲＦ回路１０３ａ、１０３ｂ及び受信ＲＦ回路１０４ａ、１０４ｂの代わりに、送信ＲＦ回路１０３ｃ、１０３ｄ及び受信ＲＦ回路１０４ｃ、１０４ｄを備える。
【００３７】
ＩＦ転送回路１５１は、ＩＦケーブル１５３から、ＩＦ帯制御信号を分離し、アレイ制御回路１１３が出力した制御信号を復調し、送信ＲＦ回路１０３ｃ、１０３ｄ及び受信ＲＦ回路１０４ｃ、１０４ｄへ出力する。
【００３８】
また、ＩＦ転送回路１５１は、送信ＩＦ帯信号を分離して送信ＲＦ回路１０３ｃ、１０３ｄへ出力する。送信ＲＦ回路１０３ｃ、１０３ｄは、送信ＩＦ帯信号を送信ＲＦ信号への変調、増幅を行う。また、ＩＦ帯制御信号をＩＦ転送回路１５１が復調した信号に基づき、送信ＲＦ信号の振幅及び位相を制御し、送信指向性の制御を行う。
【００３９】
また、図２Ａでは、受信ＲＦ回路１０４ａ、１０４ｂが受信ＲＦ信号を受信ベースバンド信号に復調したが、図２Ｂでは、受信ＲＦ回路１０４ｃ、１０４ｄは、受信ＲＦ信号を受信ＩＦ帯信号に復調する。ＩＦ転送回路１５１は、受信ＩＦ帯信号を他の信号と多重し、ＩＦケーブル１５３へ出力する。ＩＦ転送回路１５２は、受信ＩＦ帯信号を復調し、受信ベースバンド信号を生成し、Ａ／Ｄコンバータ１１２ａ、１１２ｂへ出力する。
【００４０】
図２Ｂの構成は、図２Ａと比べ、複数の信号をＩＦケーブル１５３に多重して送信するため、ＩＦケーブル１５３を延長することができ、ＰＨＹ回路１１０ａ及びＭＡＣ回路１２０と、ＲＦモジュール回路１０９ａを離して設置することができる。しかしながら、通信装置１００ａ、２００ａ、３００ａは、ＩＦケーブル１５３において伝送される信号はＰＨＹ回路１１０ａ及びＲＦモジュール回路１０９ａの構成に応じて設計されるものであるから、ＰＨＹ回路１１０ａ及びＲＦモジュール回路１０９ａが離れて配置されていても、一体の機能をなすものと考えられる。
【００４１】
図３は、８０２．１１ａｄ規格のＢＦＴ手順の一例を示す図である。ＢＦＴは、ＳＬＳ（Ｓｅｃｔｏｒ  Ｌｅｖｅｌ  Ｓｗｅｅｐ）とＢＲＰ（Ｂｅａｍ  Ｒｅｆｉｎｅｍｅｎｔ  Ｐｒｏｔｏｃｏｌ）の少なくとも１つを含む。
【００４２】
ＳＬＳでは、通信装置は、パケット毎に、送信アンテナの指向性（送信セクタ、または、送信ＡＷＶ：Ａｎｔｅｎｎａ  Ｗｅｉｇｈｔ  Ｖｅｃｔｏｒという）または受信アンテナの指向性（受信セクタ、または、受信ＡＷＶという）を切り替え、ＢＦＴを行う。ＢＲＰでは、通信装置は、パケット内のトレーニングフィールド内で送信セクタまたは受信セクタを切り替えて、ＢＦＴを行う。
【００４３】
また、ＳＬＳ及びＢＲＰでは、応答フレームにおいて、トレーニングにより得られた最良の送信セクタの情報（ベストセクタという）を含めて送信することにより、ＢＦＴを行う。
【００４４】
なお、ＢＦＴを開始する通信装置をイニシエータ（Ｉｎｉｔｉａｔｏｒ）と呼ぶ。Ｉｎｉｔｉａｔｏｒからの要求に応答する通信装置をレスポンダ（Ｒｅｓｐｏｎｄｅｒ）と呼ぶ。
【００４５】
イニシエータは、ＳＬＳを行う場合、まず、イニシエータ送信セクタスイープ（Ｉｎｉｔｉａｔｏｒ  ＴＸＳＳ）を行う。Ｉｎｉｔｉａｔｏｒ  ＴＸＳＳにおいては、イニシエータは、セクタスイープ（Ｓｅｃｔｏｒ  Ｓｗｅｅｐ、ＳＳＷ）フレーム５１１、５１２、５１３毎に、送信セクタを切り替え、各ＳＳＷを送信する。レスポンダは、レスポンダ送信セクタスイープ(Ｒｅｓｐｏｎｄｅｒ  ＴＸＳＳ)を行って、Ｉｎｉｔｉａｔｏｒ  ＴＸＳＳへ応答する。Ｒｅｓｐｏｎｄｅｒ  ＴＸＳＳにおいて、レスポンダは、ＳＳＷフレーム５２１、５２２、５２３毎に、送信セクタを切り替え、各ＳＳＷを送信する。
【００４６】
イニシエータは、ＳＳＷフィードバック（ＳＳＷ−ＦＢ）フレーム５３１を送信し、レスポンダは、ＳＳＷ  Ａｃｋｎｏｗｌｅｄｇｅｍｅｎｔ（ＳＳＷ−ＡＣＫ）フレーム５４１を送信し、ＳＬＳを完了する。
【００４７】
イニシエータは、ＢＲＰを行う場合、レスポンダへＢＲＰフレーム６０１を送信する。レスポンダは、ＢＲＰフレーム６０１を受信した場合、ＢＲＰフレーム６０１に含まれる要求の種類（後述）に応じ、応答を含めたＢＲＰフレーム６０２をイニシエータへ送信する。
【００４８】
ＢＲＰは、イニシエータとレスポンダとの間でＢＲＰフレームの送信を繰り返すことにより行われる（Ｂｅａｍ  Ｒｅｆｉｎｅｍｅｎｔ  Ｔｒａｎｓａｃｔｉｏｎ、以下ＢＲＴという。）。ＢＲＰは、ＢＲＴの前に、１つ以上のサブフェーズ（Ｓｕｂｐｈａｓｅ）を含むでもよい。サブフェーズは、一例として、セットアップサブフェーズ、ＭＩＤ（Ｍｕｌｔｉｐｌｅ  Ｓｅｃｔｏｒ  Ｉｄｅｎｔｉｆｉｅｒ）サブフェーズ、ＢＣ（Ｂｅａｍ  Ｃｏｍｂｉｎｉｎｇ）サブフェーズ、ＭＩＤＣ（ＭＩＤ  Ｃａｐｔｕｒｅ）サブフェーズがあり、ＢＲＴと同様に、イニシエータ及びレスポンダからのＢＲＰフレームの送信により行われる。
【００４９】
レスポンダが要求を含まないＢＲＰフレームを送信した場合、イニシエータは、ＢＲＰフレームの送信を停止することにより、ＢＲＴを終了し、ＢＲＰを終了してもよい。
【００５０】
なお、イニシエータ及びレスポンダは、ＢＲＰフレームの要求をＳＳＷ−ＦＢ及びＳＳＷ−ＡＣＫフレームに含め、ＳＬＳに続けてＢＲＰを行ってもよい。一例として、図３において、イニシエータは、ＳＳＷ−ＦＢフレーム５３１のＴＸ−ＴＲＮ−ＲＥＱサブフィールドの値を１に設定し、ＳＬＳの完了後にＢＲＰを行い、送信ＢＦＴを行うことをレスポンダに要求する。
【００５１】
イニシエータは、ＳＳＷ−ＦＢフレーム５３１のＬ−ＲＸサブフィールドの値を１以上に設定し（図３では、Ｌ−ＲＸ＞０）、ＳＬＳの完了後にＢＲＰを行い、受信ＢＦＴを行うことをレスポンダに要求する。
【００５２】
イニシエータは、セットアップサブフェーズにおいて、Ｃａｐａｂｉｌｉｔｙ  Ｒｅｑｕｅｓｔサブフィールドを１に設定してＢＲＰフレーム６０１を送信する。Ｃａｐａｂｉｌｉｔｙ  Ｒｅｑｕｅｓｔサブフィールドを０に設定したＢＲＰフレーム６０４、６０５をレスポンダ及びイニシエータが送信することにより、セットアップサブフェーズは終了する。
【００５３】
イニシエータは、ＢＲＰフレーム６０１において、ＴＸ―ＦＢＣＫ−ＲＥＱサブフィールドを１に設定し、ＳＮＲ  Ｒｅｑｕｅｓｔｅｄサブフィールドを１に設定して送信する。
【００５４】
レスポンダは、ＢＲＰフレーム６０１のＳＮＲ  Ｒｅｑｕｅｓｔｅｄサブフィールドが１に設定されていることに応答し、ＢＲＰフレーム６０２に、Ｃｈａｎｎｅｌ  Ｍｅａｓｕｒｅｍｅｎｔ  Ｆｅｅｄｂａｃｋエレメントを含め、Ｃｈａｎｎｅｌ  Ｍｅａｓｕｒｅｍｅｎｔ  ＦｅｅｄｂａｃｋエレメントのＳＮＲフィールドに、ＢＲＰフレーム６０１を受信中に測定したＳＮＲ（Ｓｉｇｎａｌ  ｔｏ  Ｎｏｉｓｅ  Ｒａｔｉｏ）の値、つまり受信品質の値を設定する。なお、ＳＮＲの値は複数であってもよい。ＳＮＲ  Ｐｒｅｓｅｎｔサブフィールドを１に設定し、Ｃｈａｎｎｅｌ  Ｍｅａｓｕｒｅｍｅｎｔ  ＦｅｅｄｂａｃｋエレメントのＳＮＲフィールドの値が有効であることをイニシエータに通知する。
【００５５】
また、レスポンダは、後述するＣｈａｎｎｅｌ  Ｍｅａｓｕｒｅｍｅｎｔ  ＦｅｅｄｂａｃｋエレメントのＳｅｃｔｏｒ  ＩＤ  Ｏｒｄｅｒフィールドに、ＳＮＲの値に対応する送信セクタＩＤ及びアンテナＩＤの値を含めて送信する。Ｓｅｃｔｏｒ  ＩＤ  Ｏｒｄｅｒ  Ｐｒｅｓｅｎｔサブフィールドを１に設定し、Ｃｈａｎｎｅｌ  Ｍｅａｓｕｒｅｍｅｎｔ  ＦｅｅｄｂａｃｋエレメントのＳｅｃｔｏｒ  ＩＤ  Ｏｒｄｅｒフィールド値が有効であることをイニシエータに通知する。
【００５６】
このように、送信装置は、ベストセクタを通知することに加え、Ｃｈａｎｎｅｌ  Ｍｅａｓｕｒｅｍｅｎｔ  ＦｅｅｄｂａｃｋエレメントのＳＮＲフィールド及びＳｅｃｔｏｒ  ＩＤ  Ｏｒｄｅｒフィールドに複数の送信セクタに対応する受信品質の測定結果、つまり測定結果のリストを通知する。これにより、送信装置は、測定結果のリストに含まれるＳｅｃｔｏｒ  ＩＤを候補送信セクタとみなし、候補送信セクタと受信セクタの組み合わせをテストするようにＢｅａｍ  Ｒｅｆｉｎｅｍｅｎｔ  Ｔｒａｎｓａｃｔｉｏｎを行うことにより、ＳＬＳにより得られた暫定的なベストセクタより通信品質の良い、真のベストセクタを発見することができる。
【００５７】
図４は、８０２．１１ａｙドラフト規格のＳＩＳＯ ＢＲＰ ＴＸＳＳ手順を示す図である。ＳＩＳＯ ＢＲＰ ＴＸＳＳは、イニシエータ及びレスポンダがＢＰＲフレームを用いて送信及び受信ＢＦＴを行う一方法である。図３のＢＲＰと異なり、各ＢＲＰフレームの役割及び送信順序があらかじめ定められているため、イニシエータ及びレスポンダにおける応答に要する処理（ＢＲＰフレームを受信してから次のＢＲＰフレームを送信するまでの処理）時間を短縮することができる。
【００５８】
図４のＳＩＳＯ  ＢＲＰ  ＴＸＳＳ期間にイニシエータ及びレスポンダに送信されるフレームは全てＢＲＰフレームであるが、図４では役割名（例えば、Ｓｅｔｕｐ、ＥＤＭＧ（Enhanced directional multi-gigabit）  ＢＲＰ−ＴＸ）を記載する。
【００５９】
Ｓｅｔｕｐ  ＢＲＰフレーム７０１、７０２は、ＢＲＰフレームのＢＲＰ−ＴＸＳＳフィールドを１、ＴＸＳＳ−ＭＩＭＯフィールドを０に設定することで、ＳＩＳＯ  ＢＲＰ  ＴＸＳＳ手順の開始を通知するフレームである。イニシエータは、Ｓｅｔｕｐ  ＢＲＰフレーム７０１を送信してＳＩＳＯ  ＢＲＰ  ＴＸＳＳ手順の開始を通知し、レスポンダは、Ｓｅｔｕｐ  ＢＲＰフレーム７０２を送信してＳＩＳＯ  ＢＲＰ  ＴＸＳＳ手順の開始を受け入れる。
【００６０】
ＥＤＭＧ  ＢＲＰ−ＴＸフレーム７０３は、イニシエータの送信ＢＦＴを行うＢＲＰフレームである。
【００６１】
Ｆｅｅｄｂａｃｋ  ＢＲＰフレーム７０４は、イニシエータの送信ＢＦＴの結果を通知するフレームである。レスポンダは、Ｆｅｅｄｂａｃｋ  ＢＲＰフレーム７０４のＢＳ−ＦＢＣＫサブフィールドに、ベストセクタ（最良ＡＷＶ）の情報を含めて送信する。レスポンダは、Ｆｅｅｄｂａｃｋ  ＢＲＰフレーム７０４にＥＤＭＧ  Ｃｈａｎｎｅｌ  Ｍｅａｓｕｒｅｍｅｎｔ  Ｆｅｅｄｂａｃｋエレメントを含め、ＥＤＭＧ  Ｓｅｃｔｏｒ  ＩＤ  Ｏｒｄｅｒフィールドに、送信ＢＦＴの結果を示す情報として、ＡＷＶ、送信アンテナＩＤ、受信アンテナＩＤの組を複数含め、Ｃｈａｎｎｅｌ  Ｍｅａｓｕｒｅｍｅｎｔ  ＦｅｅｄｂａｃｋエレメントのＳＮＲフィールドに、前述のＡＷＶ、送信アンテナＩＤ、受信アンテナＩＤの組み合わせ毎にＳＮＲの値を含めてもよい。
【００６２】
レスポンダは、図３のＢＲＰフレーム６０２のＳｅｃｔｏｒ  ＩＤ  Ｏｒｄｅｒフィールドと同様に、ＥＤＭＧ  Ｓｅｃｔｏｒ  ＩＤ  Ｏｒｄｅｒフィールドに送信ＢＦＴの結果を示すＡＷＶのリストを含めることができる。
【００６３】
レスポンダは、ＥＤＭＧ  Ｓｅｃｔｏｒ  ＩＤ  Ｏｒｄｅｒフィールドに、例えば、最良ＡＷＶ、第２最良ＡＷＶ、・・・、第ｎ最良ＡＷＶのように、複数のＡＷＶに関するトレーニング結果（ＳＮＲ，受信品質）を含めてもよい。
【００６４】
レスポンダは、ＥＤＭＧ  Ｓｅｃｔｏｒ  ＩＤ  Ｏｒｄｅｒフィールドに、例えば、送信アンテナＩＤ、受信アンテナＩＤの組み合わせ（０，０）に対する最良ＡＷＶ、（０，１）に対する最良ＡＷＶ、（１，０）に対する最良ＡＷＶ、（１，１）に対する最良ＡＷＶのように、送信アンテナＩＤ、受信アンテナＩＤの組み合わせ毎にＡＷＶに関するトレーニング結果（ＳＮＲ，受信品質）を含めてもよい。
【００６５】
ＥＤＭＧ  ＢＲＰ−ＲＸフレーム７０５は、レスポンダの受信ＢＦＴを行うＢＲＰフレームである。
【００６６】
ＥＤＭＧ  ＢＲＰ−ＴＸフレーム７０６、Ｆｅｅｄｂａｃｋ  ＢＲＰフレーム７０７は、それぞれ、レスポンダの送信ＢＦＴ、及び、フィードバックを行うＢＲＰフレームである。ＥＤＭＧ  ＢＲＰ−ＲＸフレーム７０８は、イニシエータの受信ＢＦＴを行うＢＲＰフレームである。なお、ＥＤＭＧ  ＢＲＰ−ＴＸフレーム７０６、Ｆｅｅｄｂａｃｋ  ＢＲＰフレーム７０７、ＥＤＭＧ  ＢＲＰ−ＲＸフレーム７０８の送受信は、省略してもよい。
【００６７】
イニシエータがＡｃｋ  ＢＲＰフレーム７０９を送信し、ＳＩＳＯ  ＢＲＰ  ＴＸＳＳ手順の終了をレスポンダへ通知する。イニシエータは、Ａｃｋ  ＢＲＰフレームを送信した場合、Ｆｅｅｄｂａｃｋ  Ａｃｋフレーム７０４に含まれるＢＳ−ＦＢＣＫフィールドの値の基づき、送信ＡＷＶを変更する。また、イニシエータは、ＥＤＭＧ  ＢＲＰ−ＲＸフレーム７０８を受信することにより、受信ＢＦＴを行い、その結果に基づき、イニシエータの受信ＡＷＶを変更する。
【００６８】
レスポンダは、Ａｃｋ  ＢＲＰフレームを受信した場合、Ｆｅｅｄｂａｃｋ  Ａｃｋフレーム７０７に含まれるＢＳ−ＦＢＣＫフィールドの値の基づき、送信ＡＷＶを変更する。また、レスポンダは、ＥＤＭＧ  ＢＲＰ−ＲＸフレーム７０５を受信することにより、受信ＢＦＴを行い、その結果に基づき、レスポンダの受信ＡＷＶを変更する。
【００６９】
イニシエータ及びレスポンダは、ＳＩＳＯ  ＢＲＰ  ＴＸＳＳ手順により設定したベストセクタ（ＡＷＶ）を用いて、送信及び受信を行う。一例として、イニシエータは、フィードバックＢＲＰフレーム７０４のＢＳ−ＦＢＣＫフィールドに指定される最適送信ＡＷＶを用いてシングルストリーム（ＳＩＳＯ）データフレーム７１０、７１２を送信する。また、イニシエータは、ＥＤＭＧ  ＢＲＰ−ＲＸフレーム７０５の受信を通じて決定した最適受信ＡＷＶを用いてＢＡ（ＢｌｏｃｋＡｃｋ）フレーム７１１、７１３を受信する。
【００７０】
図５、図６は、８０２．１１ａｙドラフト規格のＳＵ−ＭＩＭＯ  ＢＦＴ手順の一例を示す図である。ＳＵ−ＭＩＭＯ  ＢＦＴ手順は、イニシエータ及びレスポンダがＢＰＲフレームを用いて、複数アンテナの送信及び受信ＢＦＴを行う一方法である。ＳＵ−ＭＩＭＯ  ＢＦＴ手順は、ＳＵ−ＭＩＭＯデータ通信に先立って行われる。
【００７１】
ＳＵ−ＭＩＭＯ  ＢＦＴ手順は、ＳＩＳＯフェーズ及びＭＩＭＯフェーズを含む。ＳＩＳＯフェーズは、ＭＩＭＯ  ＢＲＰ  ＴＸＳＳ手順を用いる方法（図５）と、ＳＩＳＯ  Ｆｅｅｄｂａｃｋ  Ｐｒｏｃｅｄｕｒｅを用いる方法（図６）がある。
【００７２】
図５の手順について説明する。Ｓｅｔｕｐ  ＢＲＰフレーム８０１、８０２は、ＢＲＰフレームのＢＲＰ−ＴＸＳＳフィールドを１、ＴＸＳＳ−ＭＩＭＯフィールドを１に設定することで、ＭＩＭＯ  ＢＲＰ  ＴＸＳＳ手順の開始を通知するフレームである。イニシエータは、Ｓｅｔｕｐ  ＢＲＰフレーム８０１を送信してＭＩＭＯ  ＢＲＰ  ＴＸＳＳ手順の開始を通知し、レスポンダは、Ｓｅｔｕｐ  ＢＲＰフレーム８０２を送信してＭＩＭＯ  ＢＲＰ  ＴＸＳＳ手順の開始を受け入れる。
【００７３】
ＥＤＭＧ  ＢＲＰ−ＴＸフレーム８０３は、イニシエータの送信ＢＦＴを行うＢＲＰフレームである。イニシエータは、複数の送信アンテナ（アンテナアレイ）１０１ａ、１０１ｂを備える場合、ＥＤＭＧ  ＢＲＰ−ＴＸフレーム８０３の送信中に送信アンテナを切り替えることで送信アンテナ１０１ａ、１０１ｂそれぞれからトレーニングパターンを送信してもよい。また、イニシエータは、送信アンテナ１０１ａ、１０１ｂ毎に複数のＢＲＰ−ＴＸフレーム８０３を送信することで、送信アンテナ１０１ａ、１０１ｂ毎のトレーニングを行ってもよい。また、イニシエータは、レスポンダの受信アンテナ（アンテナアレイ）１０１ａ、１０１ｂの数に応じて、ＢＲＰ−ＴＸフレーム８０３の送信を繰り返すことにより、イニシエータの各送信アンテナと、レスポンダの各受信アンテナのすべての組み合わせについてトレーニングを行う。
【００７４】
Ｆｅｅｄｂａｃｋ  ＢＲＰフレーム８０４は、イニシエータの送信ＢＦＴの結果を通知するフレームである。レスポンダは、Ｆｅｅｄｂａｃｋ  ＢＲＰフレーム８０４にＥＤＭＧ  Ｃｈａｎｎｅｌ  Ｍｅａｓｕｒｅｍｅｎｔ  Ｆｅｅｄｂａｃｋエレメントを含め、ＥＤＭＧ  Ｓｅｃｔｏｒ  ＩＤ  Ｏｒｄｅｒフィールドに、送信ＢＦＴの結果を示す情報として、ＡＷＶ、送信アンテナＩＤ、受信アンテナＩＤの組を複数含め、Ｃｈａｎｎｅｌ  Ｍｅａｓｕｒｅｍｅｎｔ  ＦｅｅｄｂａｃｋエレメントのＳＮＲフィールドに、前述のＡＷＶ、送信アンテナＩＤ、受信アンテナＩＤの組毎にＳＮＲの値を含める。
【００７５】
イニシエータは、ＥＤＭＧ  Ｓｅｃｔｏｒ  ＩＤ  Ｏｒｄｅｒフィールドに、イニシエータの送信アンテナとレスポンダの受信アンテナとの組み合わせ毎に、複数のＡＷＶをフィードバックする。各組み合わせにおいてＡＷＶの数が１６以下である場合、すべてのＡＷＶを選択し、１６を超える場合は、イニシエータは１６個を選択して（例えば、受信品質が良い１６個を選択）ＥＤＭＧ  Ｓｅｃｔｏｒ  ＩＤ  Ｏｒｄｅｒフィールドに含める。
【００７６】
次に、レスポンダがＥＤＭＧ  ＢＲＰ−ＴＸフレーム８０５を送信し、イニシエータがＦｅｅｄｂａｃｋ  ＢＲＰフレーム８０６を受信する。これにより、イニシエータが、ＥＤＭＧ  ＢＲＰ−ＴＸフレーム８０３及びＦｅｅｄｂａｃｋ  ＢＲＰフレーム８０４と同様のトレーニングを行う。その後、レスポンダがＡｃｋ  ＢＲＰフレーム８０７を送信し、ＭＩＭＯ  ＢＲＰ  ＴＸＳＳ手順を完了する。
【００７７】
ＭＩＭＯフェーズでは、イニシエータ及びレスポンダは、ＭＩＭＯ  ＢＦ  Ｓｅｔｕｐ  ＢＲＰフレーム８５１及び８５２を送信し、ＭＩＭＯフェーズの開始を通知する。なお、イニシエータ及びレスポンダは、ＳＩＳＯフェーズで受信したフィードバック結果（Ｆｅｅｄｂａｃｋ  ＢＲＰフレーム８０４、８０６）に基づき、ＭＩＭＯ  ＢＦＴのトレーニングを行う送受信アンテナ及びＡＷＶの組み合わせのリストをＭＩＭＯ  ＢＦ  Ｓｅｔｕｐ  ＢＲＰフレーム８５１、８５２に含める。
【００７８】
イニシエータ及びレスポンダは、それぞれ、ＥＤＭＧ  ＢＲＰ−ＲＸ／ＴＸフレーム８５３、８５４を送信してＭＩＭＯ  ＢＦＴトレーニングを行う。これは、ＭＩＭＯ  ＢＦ  Ｓｅｔｕｐ  ＢＲＰフレーム８５１及び８５２に含まれる送受信アンテナ及びＡＷＶの組み合わせに基づき、ＭＩＭＯトレーニングパターン（トレーニング信号を複数アンテナで同時送信すること）をＥＤＭＧ  ＢＲＰ−ＲＸ／ＴＸフレーム８５３、８５４に含めることにより行われる。
【００７９】
イニシエータ及びレスポンダは、ＭＩＭＯ  ＢＦ  Ｆｅｅｄｂａｃｋフレーム８５５、８５６を送信し、ＭＩＭＯフェーズ及びＳＵ−ＭＩＭＯ  ＢＦＴを完了する。
【００８０】
イニシエータ及びレスポンダは、ＳＵ−ＭＩＭＯ  ＢＦＴが完了後、ＭＩＭＯ  ＢＦ  Ｆｅｅｄｂａｃｋフレーム８５５、８５６により通知された、送受信アンテナ及びＡＷＶの組み合わせを用いて、ＳＵ−ＭＩＭＯデータフレーム（図示しない）を送信する。
【００８１】
図６の手順について説明する。ＭＩＭＯフェーズの手順は図５と同様であるから、説明を省略する。
【００８２】
イニシエータ及びレスポンダは、ＳＵ−ＭＩＭＯ  ＢＦＴ開始前に、ＳＩＳＯ  ＢＦＴ８１１を完了している場合、ＳＩＳＯフェーズとしてＭＩＭＯ  ＢＦＴ  ＴＸＳＳの代わりにＳＩＳＯ  Ｆｅｅｄｂａｃｋ  ｐｒｏｃｅｄｕｒｅを行ってもよい。ＳＩＳＯ  ＢＦＴ８１１は、例えば、ＳＬＳ（図３を参照）、ＳＩＳＯ  ＢＲＰ  ＴＸＳＳ（図４を参照）、及びＭＩＭＯ  ＢＲＰ  ＴＸＳＳ（図５を参照）であってもよい。
【００８３】
イニシエータは、ＳＩＳＯ  ＢＦＴ８１１を実施する場合、イニシエータの各送信アンテナとレスポンダの各受信アンテナとのすべての組み合わせについてトレーニングを行う。レスポンダは、結果を保持しておく。例えば、ＢＦ制御回路１２４がメモリに送受信アンテナ、ＡＷＶの組み合わせに対するＳＮＲの値を保持しておく。
【００８４】
同様に、レスポンダは、ＳＩＳＯ  ＢＦＴ８１１を実施する場合、レスポンダの各送信アンテナとイニシエータの各受信アンテナとのすべての組み合わせについてトレーニングを行う。イニシエータは、結果を保持しておく。
【００８５】
なお、ＳＵ−ＭＩＭＯ  ＢＦＴにおけるイニシエータとレスポンダは、ＳＩＳＯ  ＢＦＴにおけるイニシエータとレスポンダと同一でもよく、逆（イニシエータとレスポンダが入れ替わる）でもよい。
【００８６】
イニシエータとレスポンダとは、Ｆｅｅｄｂａｃｋ  ＢＲＰフレーム８１２、８１３にＥＤＭＧ  Ｃｈａｎｎｅｌ  Ｍｅａｓｕｒｅｍｅｎｔ  Ｆｅｅｄｂａｃｋエレメントを含め、ＥＤＭＧ  Ｓｅｃｔｏｒ  ＩＤ  Ｏｒｄｅｒフィールドに、送信ＢＦＴの結果を示す情報として、ＡＷＶ、送信アンテナＩＤ、受信アンテナＩＤの組み合わせをそれぞれ１つ以上含め、Ｃｈａｎｎｅｌ  Ｍｅａｓｕｒｅｍｅｎｔ  ＦｅｅｄｂａｃｋエレメントのＳＮＲフィールドに、前述のＡＷＶ、送信アンテナＩＤ、受信アンテナＩＤの組み合わせ毎にＳＮＲの値を含める。これは、図５のＦｅｅｄｂａｃｋ  ＢＲＰフレーム８０６及び８０４に含まれる情報に相当する。
【００８７】
イニシエータ及びレスポンダは、受信したフィードバック結果（Ｆｅｅｄｂａｃｋ  ＢＲＰフレーム８１２、８１３）に基づき、ＭＩＭＯ  ＢＦＴのトレーニングを行う送受信アンテナ及びＡＷＶの組み合わせのリストをＭＩＭＯ  ＢＦ  Ｓｅｔｕｐ  ＢＲＰフレーム８５１ａ、８５２ａに含める。
【００８８】
なお、ＳＩＳＯ  ＢＦＴ８１１とＦｅｅｄｂａｃｋ  ＢＲＰフレーム８１２との間は、時間があいてもよい。たとえば、ＳＩＳＯ  ＢＦＴ８１１の後に、他の通信装置（図示しない）がデータ通信を行ってもよい。
【００８９】
このように、図６のＳＩＳＯ  Ｆｅｅｄｂａｃｋ  ｐｒｏｃｅｄｕｒｅは、図５のＭＩＭＯ  ＢＲＰ  ＴＸＳＳに比べ送受信するフレーム数が少ないため短時間で完了することが可能であるが、イニシエータ及びレスポンダは、ＳＩＳＯ  ＢＦＴにおいて送受信アンテナ及びＡＷＶの組み合わせに対するトレーニング結果を保持しておく必要がある。
【００９０】
図７、図８は、８０２．１１ａｙドラフト規格のＭＵ−ＭＩＭＯ  ＢＦＴ手順の例を示す図である。ＭＵ−ＭＩＭＯ  ＢＦＴ手順は、イニシエータ及び複数のレスポンダがＢＰＲフレームを用いて、複数アンテナの送信及び１又は複数の受信アンテナのＢＦＴを行う一方法である。ＭＵ−ＭＩＭＯ  ＢＦＴ手順は、ＭＵ−ＭＩＭＯデータ通信に先立って行われる。
【００９１】
ＭＵ−ＭＩＭＯ  ＢＦＴ手順は、ＳＩＳＯフェーズ及びＭＩＭＯフェーズを含む。ＭＩＭＯフェーズは、ＳＵ−ＭＩＭＯ  ＢＦＴのＭＩＭＯフェーズと同様に、ＭＩＭＯ送信のトレーニングを行う手順である。詳細の説明は省略する。ＳＩＳＯフェーズは、Ｉｎｉｔｉａｔｏｒ  ＴＸＳＳサブフェーズとＳＩＳＯ  Ｆｅｅｄｂａｃｋサブフェーズを含む（図７を参照）が、Ｉｎｉｔｉａｔｏｒ  ＴＸＳＳ  ｓｕｂｐｈａｓｅを省略する場合（図８）がある。
【００９２】
図７の手順について説明する。図７において、イニシエータ（例えば通信装置１００）、レスポンダ１（例えば通信装置２００）、レスポンダ２（例えば通信装置３００）がＭＵ−ＭＩＭＯ  ＢＦＴを行う。
【００９３】
Ｉｎｉｔｉａｔｏｒ  ＴＸＳＳサブフェーズにおいて、イニシエータは、複数のＳｈｏｒｔ  ＳＳＷフレーム９０１、９０２毎に、送信セクタを変え、各Ｓｈｏｒｔ  ＳＳＷフレームを送信する。レスポンダ１及びレスポンダ２はＳｈｏｒｔ  ＳＳＷフレーム９０１、９０２の受信品質を測定し、保持しておく。例えば、ＢＦ制御回路１２４がメモリに送受信アンテナ、セクタの組み合わせに対するＳＮＲの値を保持しておく。
【００９４】
ＳＩＳＯ  Ｆｅｅｄｂａｃｋサブフェーズにおいて、イニシエータは、各レスポンダにＰｏｌｌ  ＢＲＰフレームを送信し、Ｆｅｅｄｂａｃｋ  ＢＲＰフレームによる応答を求める。イニシエータは、レスポンダ１宛にＰｏｌｌ  ＢＲＰフレーム９１１を送信する。
【００９５】
レスポンダ１は、Ｆｅｅｄｂａｃｋ  ＢＲＰフレーム９１２に、ＥＤＭＧ  Ｃｈａｎｎｅｌ  Ｍｅａｓｕｒｅｍｅｎｔ  Ｆｅｅｄｂａｃｋエレメントを含め、ＥＤＭＧ  Ｓｅｃｔｏｒ  ＩＤ  Ｏｒｄｅｒフィールドに、送信ＢＦＴの結果を示す情報として、ＡＷＶ、送信アンテナＩＤ、受信アンテナＩＤの組を複数含め、Ｃｈａｎｎｅｌ  Ｍｅａｓｕｒｅｍｅｎｔ  ＦｅｅｄｂａｃｋエレメントのＳＮＲフィールドに、前述のＡＷＶ、送信アンテナＩＤ、受信アンテナＩＤの組毎にＳＮＲの値を含める。また、レスポンダ９１２は、Ｆｅｅｄｂａｃｋ  ＢＲＰフレーム９１２に、ＥＤＭＧ  ＢＲＰ  Ｒｅｑｕｅｓｔエレメントを含め、Ｌ−ＴＸ−ＲＸフィールド及びＲｅｑｕｅｓｔｅｄ  ＥＤＭＧ  ＴＲＮ  ＵＮＩＴ  Ｍフィールドに、ＭＩＭＯフェーズにおいてトレーニングを行う受信ＡＷＶの個数に関する情報を含める。
【００９６】
イニシエータは、レスポンダ２宛にＰｏｌｌ  ＢＲＰフレーム９１３を送信する。レスポンダ２は、Ｆｅｅｄｂａｃｋ  ＢＲＰフレーム９１４にＥＤＭＧ  Ｃｈａｎｎｅｌ  Ｍｅａｓｕｒｅｍｅｎｔ  Ｆｅｅｄｂａｃｋエレメント及びＥＤＭＧ  ＢＲＰ  Ｒｅｑｕｅｓｔエレメントを含めて送信する。なお、Ｆｅｅｄｂａｃｋ  ＢＲＰフレーム９１２と同様であるため、その他の説明は省略する。
【００９７】
ＭＩＭＯフェーズでは、Ｆｅｅｄｂａｃｋ  ＢＲＰフレーム９１２、９１４に含まれるフィードバック情報に指定される送受信アンテナ及びＡＷＶの組み合わせ、及び受信ＡＷＶ数についてＭＩＭＯトレーニングを行い、ＭＵ−ＭＩＭＯデータ通信に用いる送受信アンテナ及びＡＷＶの組み合わせが決定される。
【００９８】
図８の手順について説明する。イニシエータとレスポンダ１、イニシエータとレスポンダ２がそれぞれＳＩＳＯ  ＢＦＴ（例えばＳＩＳＯ  ＢＦＴ９２１、９２２）を完了している場合、Ｉｎｉｔｉａｔｏｒ  ＴＸＳＳサブフェーズを省略することができる。
【００９９】
レスポンダ１は、イニシエータとＳＩＳＯ  ＢＦＴ９２１を行い、トレーニング結果を保持しておく。詳細は図６のＳＩＳＯ  ＢＦＴ８１１と同様である。レスポンダ２は、イニシエータとＳＩＳＯ  ＢＦＴ９２２を行い、トレーニング結果を保持しておく。
【０１００】
レスポンダ１は、Ｆｅｅｄｂａｃｋ  ＢＲＰフレーム９１２ａに、ＳＩＳＯ  ＢＦＴ９２１において保持したトレーニング結果に基づき、送受信アンテナとＡＷＶの組み合わせのリスト、及び組み合わせ毎のＳＮＲの値を含めて送信する。
【０１０１】
レスポンダ３は、Ｆｅｅｄｂａｃｋ  ＢＲＰフレーム９１４ａに、ＳＩＳＯ  ＢＦＴ９２２において保持したトレーニング結果に基づき、送受信アンテナとＡＷＶの組み合わせのリスト、及び組み合わせ毎のＳＮＲの値を含めて送信する。
【０１０２】
図８のＭＩＭＯフェーズ９５０は、図７と同様であるから、説明を省略する。
【０１０３】
なお、ＳＩＳＯ  ＢＦＴ９２１の終了からＳＩＳＯ  ＢＦＴ９２２の開始までの間、ＳＩＳＯ  ＢＦＴ９２２の終了からＳＩＳＯフェーズの開始までの間は、それぞれ時間があいてもよい。たとえば、ＳＩＳＯ  ＢＦＴ９２２の後に、他の通信装置（図示しない）がデータ通信を行ってもよい。
【０１０４】
このように、図８のＳＩＳＯフェーズは、図７のＳＩＳＯフェーズに比べ送受信するフレーム数が少ないため短時間で完了することが可能である。なお、イニシエータ及び各レスポンダは、ＳＩＳＯ  ＢＦＴにおいて送受信アンテナ及びＡＷＶの組み合わせに対するトレーニング結果を保持しておく。
【０１０５】
図９は、図３から図８において用いるＢＲＰフレームのフォーマットを示す図である。ＢＲＰフレームは、Ｆｒａｍｅ  Ｃｏｎｔｒｏｌフィールド、Ｄｕｒａｔｉｏｎフィールド、Ａｄｄｒｅｓｓ１フィールド、Ａｄｄｒｅｓｓ２フィールド、Ｃａｔｅｇｏｒｙフィールド、Ｕｎｐｒｏｔｅｃｔｅｄ  ＤＭＧ（Directional multi-gigabit）  Ａｃｔｉｏｎフィールド、ＢＲＰ  Ｒｅｑｕｅｓｔフィールド、ＤＭＧ  Ｂｅａｍ  Ｒｅｆｉｎｅｍｅｎｔエレメント、Ｃｈａｎｎｅｌ  Ｍｅａｓｕｒｅｍｅｎｔ  Ｆｅｅｄｂａｃｋエレメント、ＥＤＭＧ  Ｐａｒｔｉａｌ  Ｓｅｃｔｏｒ  Ｌｅｖｅｌ  Ｓｗｅｅｐエレメント、ＥＤＭＧ  ＢＲＰ  Ｒｅｑｕｅｓｔエレメント、ＥＤＭＧ  Ｃｈａｎｎｅｌ  Ｍｅａｓｕｒｅｍｅｎｔ  Ｆｅｅｄｂａｃｋエレメントを含む。
【０１０６】
Ｆｒａｍｅ  Ｃｏｎｔｒｏｌフィールド、Ｄｕｒａｔｉｏｎフィールド、Ａｄｄｒｅｓｓ１フィールド、Ａｄｄｒｅｓｓ２フィールド、Ｃａｔｅｇｏｒｙフィールド、Ｕｎｐｒｏｔｅｃｔｅｄ  ＤＭＧ  Ａｃｔｉｏｎフィールド、ＢＲＰ  Ｒｅｑｕｅｓｔフィールドを＜ｆｉｅｌｄｓ＞と省略して記載する。
【０１０７】
Ｃｈａｎｎｅｌ  Ｍｅａｓｕｒｅｍｅｎｔ  Ｆｅｅｄｂａｃｋエレメント、ＥＤＭＧ  Ｐａｒｔｉａｌ  Ｓｅｃｔｏｒ  Ｌｅｖｅｌ  Ｓｗｅｅｐエレメント、ＥＤＭＧ  ＢＲＰ  Ｒｅｑｕｅｓｔエレメント、ＥＤＭＧ  Ｃｈａｎｎｅｌ  Ｍｅａｓｕｒｅｍｅｎｔ  Ｆｅｅｄｂａｃｋエレメントはオプションのエレメントであり、省略してもよい。
【０１０８】
ＢＲＰフレームは、図９に示す単一のフォーマットであるが、図３から図８において示したように、異なる役割を持つフレーム（例えば、Ｓｅｔｕｐ  ＢＲＰフレームやＦｅｅｄｂａｃｋ  ＢＲＰフレーム等）として機能する。
【０１０９】
以上、８０２．１１ａｄ規格におけるＢＦＴの手順について説明したが、ＢＲＰフレームのフォーマットが共通であるため、通信装置１００（レスポンダ）は、受信したＢＲＰフレームが、図３のＢＲＰフレーム６０１（イニシエータはＳＩＳＯ  ＢＲＰのＳｅｔｕｐサブフェーズを意図）か、図４のＳｅｔｕｐ  ＢＲＰフレーム（イニシエータはＳＩＳＯ  ＢＲＰ  ＴＸＳＳを意図）か、図５のＳｅｔｕｐ  ＢＲＰフレーム（イニシエータはＳＵ−ＭＩＭＯのＭＩＭＯ  ＢＲＰ  ＴＸＳＳを意図）か、図６のＦｅｅｄｂａｃｋ  ＢＲＰフレーム（イニシエータはＳＵ−ＭＩＭＯのＳＩＳＯ  Ｆｅｅｄｂａｃｋ  ｐｒｏｃｅｄｕｒｅを意図）か、図８のＰｏｌｌ  ＢＲＰフレーム（イニシエータはＭＵ−ＭＩＭＯのＳＩＳＯフェーズを意図）か、判別が困難である。
【０１１０】
また、図６及び図８のＴＸＳＳが、ＳＩＳＯ  ＢＦＴを意図したものであるので、レスポンダは、ＴＸＳＳの後にＳＵ−ＭＩＭＯ  ＢＦＴのＳＩＳＯ  ｐｈａｓｅ（図６を参照）が実行されるか否か、及びＩｎｉｔｉａｔｏｒ  ＴＸＳＳ  ｓｕｂｐｈａｓｅを省略したＭＵ−ＭＩＭＯ  ＢＦＴ（図８を参照）が実行されるか否かを、あらかじめ知ることは困難である。
【０１１１】
例えば、図６のＴＸＳＳにおいて、レスポンダがＳＩＳＯ  ＢＦＴを意図してベストセクタの選択を行った場合、Ｆｅｅｄｂａｃｋ  ＢＲＰフレーム８１３に、送受信アンテナ及びＡＷＶの組み合わせと、ＳＮＲの情報と、を含めて送信することが困難である。つまり、レスポンダが、Ｆｅｅｄｂａｃｋ  ＢＲＰフレーム８１２の意図がＳＩＳＯ  Ｆｅｅｄｂａｃｋ  ｐｒｏｃｅｄｕｒｅであると判別できた場合であっても、適切に応答することが困難である。
【０１１２】
以下において、通信装置１００が受信したＢＲＰフレームの意図を判別し、適切に応答するための方法について説明する。
【０１１３】
（実施の形態１）
通信装置１００は、ＢＲＰフレームを用いて実行するＢＦＴ手順の種類（図３、図４、図５、図６、図７、図８）に応じて、始めに送信するＢＲＰフレームに含めるエレメントの種類を決定し、他のオプションのエレメントを含めないで送信する。これにより、レスポンダは、ＢＦＴ手順の種類を判別することができる。
【０１１４】
図１０Ａ〜図１０Ｄ、図１１は、通信装置１００（イニシエータ及びレスポンダ）が、図３、図４、図５、図６、図７、図８のＢＦＴ手順を行う場合、始めに送信するＢＲＰフレームのフォーマットを示す図である。図１０Ａ〜図１０Ｄは、ＢＲＰフレームが含むエレメントを示し、図１１は、エレメント、フィールド、サブフィールドの値を示す。なお、図１１において、一部のエレメント、フィールド、サブフィールドを示し、他を省略する。
【０１１５】
図１０Ａに示すように、イニシエータは、ＳＩＳＯ  ＴＸＳＳのＢＲＰ（図３を参照）を行う場合、Ｓｅｔｕｐサブフェーズにおいて、ＢＲＰフレーム６０１に、７オクテットのＤＭＧ  Ｂｅａｍ  Ｒｅｆｉｎｅｍｅｎｔエレメントを含めて送信する。
【０１１６】
図１０Ｂに示すように、イニシエータは、ＳＩＳＯ  ＢＲＰ  ＴＸＳＳ（図４を参照）及びＭＩＭＯ  ＢＲＰ  ＴＸＳＳを行う場合（図５を参照）、ＢＲＰフレーム７０１、８０１に１０オクテットのＤＭＧ  Ｂｅａｍ  Ｒｅｆｉｎｅｍｅｎｔエレメント、及び、ＥＤＭＧ  ＢＲＰ  Ｒｅｑｕｅｓｔエレメントを含めて送信する。図１１に示すように、イニシエータは、ＢＲＰ−ＴＸＳＳフィールドの値を１に設定する。また、イニシエータは、ＳＩＳＯ  ＢＲＰ  ＴＸＳＳの場合、ＢＲＰフレーム７０１のＴＸＳＳ−ＭＩＭＯフィールドの値を０に設定し、ＭＩＭＯ  ＢＲＰ  ＴＸＳＳの場合、ＢＲＰフレーム８０１のＴＸＳＳ−ＭＩＭＯフィールドの値を１に設定する。
【０１１７】
なお、図１０Ａに示した、７オクテットのＤＭＧ  Ｂｅａｍ  Ｒｅｆｉｎｅｍｅｎｔエレメントは、１１ａｄ規格に規定されており、図１０Ｂに示した、１０オクテットのＤＭＧ  Ｂｅａｍ  Ｒｅｆｉｎｅｍｅｎｔエレメントは、１１ａｙドラフト規格に規定されている。
【０１１８】
図１０Ｃに示すように、イニシエータは、ＳＵ−ＭＩＭＯのＳＩＳＯ  Ｆｅｅｄｂａｃｋ  ｐｒｏｃｅｄｕｒｅを行う場合（図６を参照）、ＢＲＰフレーム８１２に１０オクテットのＤＭＧ  Ｂｅａｍ  Ｒｅｆｉｎｅｍｅｎｔエレメント、Ｃｈａｎｎｅｌ  Ｍｅａｓｕｒｅｍｅｎｔ  Ｆｅｅｄｂａｃｋエレメント、及び、ＥＤＭＧＣｈａｎｎｅｌ  Ｍｅａｓｕｒｅｍｅｎｔ  Ｆｅｅｄｂａｋエレメントを含めて送信する。図１１に示すように、イニシエータは、ＢＲＰ−ＴＸＳＳフィールドの値を１に設定する。
【０１１９】
また、イニシエータは、ＦＢＣＫ−ＲＥＱフィールドのＳＮＲ  Ｒｅｑｕｅｓｔｅｄフィールド及びＳｅｃｔｏｒ  ＩＤ  Ｏｒｄｅｒサブフィールドをそれぞれ１に設定する。これにより、レスポンダからＡＷＶ及びＳＮＲのリストをフィードバックするよう要求する。また、イニシエータは、ＴＸＳＳ−ＦＢＣＫ−ＲＥＱフィールド、ＦＢＣＫ−ＴＹＰＥフィールドのＳＮＲ  Ｐｒｅｓｅｎｔサブフィールド及びＳｅｃｔｏｒ  ＩＤ  Ｏｒｄｅｒ  Ｐｒｅｓｅｎｔサブフィールドの値を１に設定する。
【０１２０】
これにより、イニシエータは、ＢＲＰフレーム８１２のＣｈａｎｎｅｌ  Ｍｅａｓｕｒｅｍｅｎｔ  ＦｅｅｄｂａｋエレメントのＳＮＲフィールドの値、及びＥＤＭＧ  Ｃｈａｎｎｅｌ  Ｍｅａｓｕｒｅｍｅｎｔ  ＦｅｅｄｂａｃｋエレメントのＥＤＭＧ  Ｓｅｃｔｏｒ  ＩＤ  Ｏｒｄｅｒフィールドの値が有効であることを通知する。
【０１２１】
図１０Ｄに示すように、イニシエータは、ＭＵ−ＭＩＭＯのＳＩＳＯ  Ｆｅｅｄｂａｃｋ  ｓｕｂｐｈａｓｅを行う場合（図７、図８を参照）、ＢＲＰフレーム９１１、９１１ａに１０オクテットのＤＭＧ  Ｂｅａｍ  Ｒｅｆｉｎｅｍｅｎｔエレメントを含めて送信する。イニシエータは、ＴＸＳＳ−ＦＢＣＫ−ＲＥＱフィールド、ＦＢＣＫ−ＴＹＰＥフィールドのＳＮＲ  Ｐｒｅｓｅｎｔサブフィールド及びＳｅｃｔｏｒ  ＩＤ  Ｏｒｄｅｒ  Ｐｒｅｓｅｎｔサブフィールドの値を１に設定する。
【０１２２】
イニシエータは、ＤＭＧ  Ｂｅａｍ  ＲｅｆｉｎｅｍｅｎｔエレメントのＬｅｎｇｔｈフィールドに、ＤＭＧ  Ｂｅａｍ  Ｒｅｆｉｎｅｍｅｎｔエレメントのオクテット数から２オクテット（Ｅｌｅｍｅｎｔ  ＩＤフィールドとＬｅｎｇｔｈフィールドのオクテット数を合わせた値）を減じた値を設定する。
【０１２３】
図１２は、レスポンダがＢＲＰフレームを受信した場合、ＢＦＴ手順の種類（図３、図４、図５、図６、図７、図８）を判別する手順を示すフローチャートである。
【０１２４】
ステップＳ１００１において、レスポンダはＢＲＰフレームを受信する。
【０１２５】
ステップＳ１００２において、レスポンダは、ＤＭＧ  Ｂｅａｍ  Ｒｅｆｉｎｅｍｅｎｔエレメントの長さが１０オクテット以上（Ｌｅｎｇｔｈフィールドの値が８以上）か否かを判定する。Ｙｅｓの場合、ステップＳ１００３へ進む。Ｎｏの場合、ステップＳ１０２０へ進む。
【０１２６】
なお、ステップＳ１００２において、レスポンダは、ＤＭＧ  Ｂｅａｍ  Ｒｅｆｉｎｅｍｅｎｔエレメントの長さを判定する代わりに、ＥＤＭＧ  Ｅｘｔｅｎｓｉｏｎ  Ｆｌａｇフィールドの値が１か否かを判定してもよい。ＥＤＭＧ  Ｅｘｔｅｎｓｉｏｎ  Ｆｌａｇフィールドの値が１である場合Ｙｅｓ、ＥＤＭＧ  Ｅｘｔｅｎｓｉｏｎ  Ｆｌａｇフィールドの値が０である場合、及びフィールドが存在しない場合、Ｎｏである。
【０１２７】
ステップＳ１００３において、レスポンダは、ＥＤＭＧ  ＢＲＰ  Ｒｅｑｕｅｓｔエレメントが存在するか否かを判定する。Ｙｅｓの場合、ステップＳ１００４へ進む。Ｎｏの場合、ステップ１００６へ進む。
【０１２８】
ステップＳ１００４において、レスポンダは、ＢＲＰ−ＴＸＳＳフィールド及びＴＸＳＳ−Ｉｎｉｔｉａｔｏｒフィールドの値がいずれも１か否かを判定する。Ｙｅｓの場合、ステップＳ１００５へ進む。Ｎｏの場合、ステップ１０２０へ進む。
【０１２９】
ステップＳ１００５において、レスポンダは、ＴＸＳＳ−ＭＩＭＯフィールドの値が１か否かを判定する。Ｙｅｓの場合、ステップＳ１０１１へ進む。Ｎｏの場合、ステップ１０１３へ進む。
【０１３０】
ステップＳ１００６において、レスポンダは、ＥＤＭＧ  Ｃｈａｎｎｅｌ  Ｍｅａｓｕｒｅｍｅｎｔ  Ｆｅｅｄｂａｃｋエレメントが存在するか否かを判定する。Ｙｅｓの場合、ステップＳ１０１５へ進む。Ｎｏの場合、ステップ１０１７へ進む。
【０１３１】
なお、ステップＳ１００６において、レスポンダは、ＥＤＭＧ  Ｃｈａｎｎｅｌ  Ｍｅａｓｕｒｅｍｅｎｔ  Ｆｅｅｄｂａｃｋエレメントが存在するか否かを判定する代わりに、Ｃｈａｎｎｅｌ  Ｍｅａｓｕｒｅｍｅｎｔ  Ｆｅｅｄｂａｃｋエレメントが存在するか否かを判定してもよい。また、レスポンダは、ＥＤＭＧ  Ｃｈａｎｎｅｌ  Ｍｅａｓｕｒｅｍｅｎｔ  Ｐｒｅｓｅｎｔサブフィールドの値が１か否かを判定してもよい。また、レスポンダは、ＦＢＣＫ−ＴＹＰＥフィールドの各サブフィールドに非ゼロの値が含まれるか否かを判定してもよい。
【０１３２】
以上の判定により、レスポンダは、ステップＳ１０１１へ進んだ場合、受信したＢＲＰフレームはＳＩＳＯ  ＢＲＰ  ＴＸＳＳ（図４）のＳｅｔｕｐ  ＢＲＰフレーム７０１であると判定する。ステップＳ１０１２において、Ｓｅｔｕｐ  ＢＲＰフレーム７０２を送信する。
【０１３３】
レスポンダは、ステップＳ１０１３へ進んだ場合、受信したＢＲＰフレームはＭＩＭＯ  ＢＲＰ  ＴＸＳＳ（図５）のＳｅｔｕｐ  ＢＲＰフレーム８０１であると判定する。ステップＳ１０１４において、Ｓｅｔｕｐ  ＢＲＰフレーム８０２を送信する。
【０１３４】
レスポンダは、ステップＳ１０１５へ進んだ場合、受信したＢＲＰフレームはＳＵ−ＭＩＭＯ  ＢＦＴのＳＩＳＯ  Ｆｅｅｄｂａｃｋ  ｐｒｏｃｅｄｕｒｅのＦｅｅｄｂａｃｋ  ＢＲＰフレーム８１２であると判定する。ステップＳ１０１６において、Ｆｅｅｄｂａｃｋ  ＢＲＰフレーム８１３を送信する。
【０１３５】
レスポンダは、ステップＳ１０１７へ進んだ場合、受信したＢＲＰフレームはＭＵ−ＭＩＭＯ  ＢＦＴのＰｏｌｌ  ＢＲＰフレーム９１１、９１１ａであると判定する。ステップＳ１０１８において、Ｆｅｅｄｂａｃｋ  ＢＲＰフレーム９１２、９１２ａを送信する。
【０１３６】
レスポンダは、ステップＳ１０２０へ進んだ場合、受信したＢＲＰフレームはＥＤＭＧＢＲＰ手順（図４、図５、図６、図７、図８のいずれか）ではないと判定し、図３のＳＩＳＯ  ＢＲＰ手順を行うため、ＢＲＰフレーム６０２を送信する。
【０１３７】
図１３は、イニシエータが図１０Ａ〜図１０Ｄ、図１１のＢＲＰフレームを各手順の先頭ＢＲＰフレームとして用いることにより、ＳＵ−ＭＩＭＯ  ＢＦＴのＳＩＳＯ  Ｆｅｅｄｂａｃｋ  ｐｒｏｃｅｄｕｒｅと組み合わせて用いることのできるＳＩＳＯ  ＢＦＴの種類を示す図である。
【０１３８】
一例として、通信装置（ＳＴＡ）１００は、ＳＴＡ２００と、図３のＳＬＳを行い、図６のＳＩＳＯ  Ｆｅｅｄｂａｃｋ  ｐｒｏｃｅｄｕｒｅ及びＭＩＭＯ  Ｐｈａｓｅを行うことにより、ＳＩＳＯ  ＢＦＴとＳＵ−ＭＩＭＯ  ＢＦＴを完了する。
【０１３９】
別の一例として、ＳＴＡ１００は、ＳＴＡ２００と、図４のＳＩＳＯ  ＢＲＰ  ＴＸＳＳを行い、図６のＳＩＳＯ  Ｆｅｅｄｂａｃｋ  ｐｒｏｃｅｄｕｒｅ及びＭＩＭＯ  Ｐｈａｓｅを行うことにより、ＳＩＳＯ  ＢＦＴとＳＵ−ＭＩＭＯ  ＢＦＴを完了する。
【０１４０】
別の一例として、ＳＴＡ１００は、ＳＴＡ２００と、図５のＭＩＭＯ  ＢＲＰ  ＴＸＳＳ及びＭＩＭＯ  Ｐｈａｓｅを行うことにより、１回目のＳＵ−ＭＩＭＯ  ＢＦＴを完了する。
【０１４１】
また、ＳＴＡ１００は、１回目のＳＵ−ＭＩＭＯ  ＢＦＴ完了した場合、図６のＳＩＳＯ  Ｆｅｅｄｂａｃｋ  ｐｒｏｃｅｄｕｒｅ及びＭＩＭＯ  Ｐｈａｓｅを行うことにより、２回目のＳＵ−ＭＩＭＯ  ＢＦＴを完了してもよい。
【０１４２】
例えば、ＳＴＡ１００及びＳＴＡ２００は、１回目のＳＵ−ＭＩＭＯ  ＢＦＴを完了し、ＳＵ−ＭＩＭＯデータ送信を行うが、ＳＴＡ１００とＳＴＡ２００間の遮蔽物が発生した場合に、１回目のＳＵ−ＭＩＭＯ  ＢＦＴにおいて保持している送受信アンテナ及びＡＷＶの組み合わせとＳＮＲとを図６のＦｅｅｄｂａｃｋ  ＢＲＰフレーム８１２、８１３に含めて送信し、ＳＵ−ＭＩＭＯ  ＢＦＴを完了する。これにより、２回目のＳＵ−ＭＩＭＯ  ＢＦＴでは、ＭＩＭＯ  ＢＲＰ  ＴＸＳＳ及びＳＩＳＯ  ＴＸＳＳ（図６の８１１）を省略でき、ＳＵ−ＭＩＭＯ  ＢＦＴを実行する時間を短縮することができる。
【０１４３】
図１４は、通信装置（イニシエータ及びレスポンダ）が、図１０Ａ〜図１０Ｄ、図１１に示すＢＲＰフレームを用いて図６のＳＵ−ＭＩＭＯ  ＢＦＴを行う場合の手順の詳細を示す図である。図６と同じＢＲＰフレームには同じ番号を付し、説明を省略する。
【０１４４】
イニシエータ及びレスポンダは、ＳＵ−ＭＩＭＯ  ＢＦＴを開始する前に、Ｃａｐａｂｉｌｉｔｙ情報４０１、４０２を送信する。
【０１４５】
Ｃａｐａｂｉｌｉｔｙ情報は、イニシエータ及びレスポンダがそれぞれサポートする機能のリストを含み、ＳＵ−ＭＩＭＯ及びＭＵ−ＭＩＭＯをサポートするか否かを示すフィールドを含む。なお、イニシエータ及びレスポンダは、Ｃａｐａｂｉｌｉｔｙ情報４０１、４０２に、ＳＩＳＯ  ＢＲＰ  ＴＸＳＳ（図４）、ＭＩＭＯ  ＢＲＰ  ＴＸＳＳ（図５）、ＳＩＳＯ  Ｆｅｅｄｂａｃｋ  ｐｒｏｃｅｄｕｒｅ（図６）、Ｉｎｉｔｉａｔｏｒ  ＴＸＳＳを省略したＭＵ−ＭＩＭＯ  ＢＦＴ（図８）をサポートするか否かをそれぞれ示すビットを含めてもよい。
【０１４６】
イニシエータ及びレスポンダは、イニシエータ及びレスポンダがＳＵ−ＭＩＭＯをサポートすることをＣａｐａｂｉｌｉｔｙ情報により互いに通知された場合、ＴＸＳＳ８１１ａの実行中に、ＳＩＳＯ  ＢＦＴを行い、ＭＩＭＯ用ＴＸＳＳトレーニング結果として、ＳＵ−ＭＩＭＯ  ＢＦＴに用いられる送受信アンテナ及びＡＷＶの組み合わせと組み合わせ毎のＳＮＲの値とを測定し、保持する。
【０１４７】
イニシエータ及びレスポンダは、保持したＭＩＭＯ用ＴＸＳＳトレーニング結果をＦｅｅｄｂａｃｋ  ＢＲＰフレーム８１２、８１３に含めて送信するため、ＳＵ−ＭＩＭＯ  ＢＦＴを正しく実行することができる。
【０１４８】
イニシエータ及びレスポンダは、Ｃａｐａｂｉｌｉｔｙ情報４０１、４０２を送信する前に、ＴＸＳＳ８１１ａを実行する場合がある。このため、イニシエータは、Ｃａｐａｂｉｌｉｔｙ情報４０１、４０２の送信後にＴＸＳＳ８１１ａを実行した場合、Ｆｅｅｄｂａｃｋ  ＢＲＰフレーム８１２を送信してＳＩＳＯ  Ｆｅｅｄｂａｃｋ  ｐｒｏｃｅｄｕｒｅを開始するようにしてもよい。
【０１４９】
イニシエータは、レスポンダとＴＸＳＳ８１１ａを実行する前にＳＵ−ＭＩＭＯ及びＭＵ−ＭＩＭＯをそれぞれサポートするか否かを示す情報を含むＣａｐａｂｉｌｉｔｙ情報をレスポンダへ送信する。このため、レスポンダは、ＴＸＳＳ８１１ａの実行中にＭＩＭＯ用ＴＸＳＳトレーニング結果を保持し、Ｆｅｅｄｂａｃｋ  ＢＲＰフレーム８１３にＭＩＭＯ用ＴＸＳＳトレーニング結果を含めることができる。
【０１５０】
なお、レスポンダは、ＢＲＰフレームを受信した場合、図１２のフローチャートを用いて受信したＢＲＰフレームの意図に応じた応答（Ｓｅｔｕｐ  ＢＲＰフレーム６０２、Ｓｅｔｕｐ  ＢＲＰフレーム７０１、８０２、またはＦｅｅｄｂａｃｋ  ＢＲＰフレーム８１３、９１２）を行う代わりに、共通のＦｅｅｄｂａｃｋ  ＢＲＰフレーム９８１のフォーマットを用いて応答を行ってもよい。
【０１５１】
図１５は、共通のＦｅｅｄｂａｃｋ  ＢＲＰフレーム９８１のフォーマットを示す図である。レスポンダは、ＢＲＰフレーム９８１に１０オクテットのＤＭＧ  Ｂｅａｍ  Ｒｅｆｉｎｅｍｅｎｔエレメント、Ｃｈａｎｎｅｌ  Ｍｅａｓｕｒｅｍｅｎｔ  Ｆｅｅｄｂａｋエレメント、ＥＤＭＧ  ＢＲＰ  Ｒｅｑｕｅｓｔエレメント、ＥＤＭＧ  Ｃｈａｎｎｅｌ  Ｍｅａｓｕｒｅｍｅｎｔ  Ｆｅｅｄｂａｋエレメントを含める。
【０１５２】
レスポンダは、ＢＲＰフレーム９８１のＤＭＧ  Ｂｅａｍ  ＲｅｆｉｎｅｍｅｎｔエレメントのＥＤＭＧ  Ｅｘｔｅｎｓｉｏｎ  Ｆｌａｇフィールドの値を１、ＥＤＭＧ  Ｃｈａｎｎｅｌ  Ｍｅａｓｕｒｅｍｅｎｔ  Ｐｒｅｓｅｎｔフィールドの値を１、ＦＢＣＫ−ＴＹＰＥフィールドのＳＮＲ  Ｐｒｅｓｅｎｔサブフィールド及びＳｅｃｔｏｒ  ＩＤ  Ｏｒｄｅｒ  Ｐｒｅｓｅｎｔサブフィールドの値をそれぞれ１に設定する。
【０１５３】
レスポンダは、ＳＵ−ＭＩＭＯまたはＭＵ−ＭＩＭＯをサポートする場合、ＥＤＭＧ  Ｃｈａｎｎｅｌ  Ｍｅａｓｕｒｅｍｅｎｔ  ＦｅｅｄｂａｃｋエレメントのＥＤＭＧ  Ｓｅｃｔｏｒ  ＩＤ  Ｏｒｄｅｒフィールドに、イニシエータの送信アンテナとレスポンダの受信アンテナとの組み合わせ毎に、複数のＡＷＶをフィードバックする。送受信アンテナの各組み合わせにおいてＡＷＶの数が１６以下である場合、すべてのＡＷＶを選択し、１６を超える場合は、イニシエータは１６個を選択して（例えば、受信品質が良い１６個を選択）、ＥＤＭＧ  Ｓｅｃｔｏｒ  ＩＤ  Ｏｒｄｅｒフィールドに含める。この情報は、ＳＵ−ＭＩＭＯ  ＢＦＴ及びＭＵ−ＭＩＭＯ  ＢＦＴにおいて必須の情報として用いられるが、ＳＩＳＯ  ＢＦＴに用いてもよい。
【０１５４】
レスポンダは、ＡＷＶ毎にＳＮＲの値をＣｈａｎｎｅｌ  Ｍｅａｓｕｒｅｍｅｎｔ  ＦｅｅｄｂａｋエレメントのＳＮＲフィールドに含める。
【０１５５】
レスポンダは、ＥＤＭＧ  ＢＲＰ  ＲｅｑｕｅｓｔエレメントのＬ−ＲＸフィールドＲｅｑｕｅｓｔｅｄ  ＥＤＭＧ  ＴＲＮ  ＵＮＩＴ  Ｍフィールドに、ＳＩＳＯ  ＢＲＰ  ＴＸＳＳのＥＤＭＧ  ＢＲＰ−ＲＸフレーム７０５を受信した時にトレーニングを行う受信ＡＷＶの個数に関する情報を含める。
【０１５６】
レスポンダは、ＭＵ−ＭＩＭＯをサポートする場合、ＥＤＭＧ  ＢＲＰ  ＲｅｑｕｅｓｔエレメントのＬ−ＴＸ−ＲＸフィールド及びＲｅｑｕｅｓｔｅｄ  ＥＤＭＧ  ＴＲＮ  ＵＮＩＴ  Ｍフィールドに、ＭＵ−ＭＩＭＯ  ＢＦＴのＭＩＭＯフェーズにおいてトレーニングを行う受信ＡＷＶの個数に関する情報を含める。
【０１５７】
このように、レスポンダは、イニシエータが送信した初めのＢＲＰフレームに対し、共通のＦｅｅｄｂａｃｋ  ＢＲＰフレーム９８１を用いて応答するので、イニシエータの意図したＢＦＴがＳＩＳＯ  ＢＦＴ、ＳＵ−ＭＩＭＯ  ＢＦＴ、ＭＵ−ＭＩＭＯ  ＢＦＴのいずれであっても、適切な応答を行うことができる。
【０１５８】
（実施の形態２）
通信装置１００は、ＢＲＰフレームを用いて実行するＢＦＴ手順の種類（図３、図４、図５、図６、図７、図８）に応じて、ＳＩＳＯ、ＳＵ−ＭＩＭＯ、ＭＵ−ＭＩＭＯの種別を示すフィールドを始めに送信するＢＲＰフレームに含めて送信する。レスポンダは、種別を示すフィールドと他のフィールドとの組み合わせにより、ＢＦＴ手順の種類（図３、図４、図５、図６、図７、図８）を判別することができる。
【０１５９】
図１６は、実施の形態２のＢＲＰフレームのフォーマットを示す図である。図９のＢＲＰフレームと異なり、ＤＭＧ  Ｂｅａｍ  ＲｅｆｉｎｅｍｅｎｔエレメントにＢＦ  Ｔｒａｉｎｉｎｇ  Ｔｙｐｅフィールドを含む。ＢＦ  Ｔｒａｉｎｉｎｇ  Ｔｙｐｅフィールドは、値０はＳＩＳＯ、値１はＳＵ−ＭＩＭＯ、値２はＭＵ−ＭＩＭＯを表す。値３は予約値（Ｒｅｓｅｒｖｅｄ）である。
【０１６０】
イニシエータは、ＳＩＳＯ  ＢＲＰのＳｅｔｕｐサブフェーズ（図３）を行う場合、ＢＲＰフレーム６０１のＢＦ  Ｔｒａｉｎｉｎｇ  Ｔｙｐｅフィールドの値を０（ＳＩＳＯ）に設定する。
【０１６１】
イニシエータは、ＳＩＳＯ  ＢＲＰ  ＴＸＳＳ（図４）を行う場合、Ｓｅｔｕｐ  ＢＲＰフレーム７０１のＢＦ  Ｔｒａｉｎｉｎｇ  Ｔｙｐｅフィールドの値を０（ＳＩＳＯ）に設定する。
【０１６２】
イニシエータは、ＭＩＭＯ  ＢＲＰ  ＴＸＳＳ（図５）を行う場合、Ｓｅｔｕｐ  ＢＲＰフレーム８０１のＢＦ  Ｔｒａｉｎｉｎｇ  Ｔｙｐｅフィールドの値を１（ＳＵ−ＭＩＭＯ）に設定する。
【０１６３】
イニシエータは、ＳＵ−ＭＩＭＯのＳＩＳＯ  Ｆｅｅｄｂａｃｋ  ｐｒｏｃｅｄｕｒｅ（図６）を行う場合、Ｆｅｅｄｂａｃｋ  ＢＲＰフレーム８１２のＢＦ  Ｔｒａｉｎｉｎｇ  Ｔｙｐｅフィールドの値を１（ＳＵ−ＭＩＭＯ）に設定する。
【０１６４】
イニシエータは、ＭＵ−ＭＩＭＯのＳＩＳＯ  Ｆｅｅｄｂａｃｋサブフェーズ（図８）を行う場合、Ｐｏｌｌ  ＢＲＰフレーム９１１ａのＢＦ  Ｔｒａｉｎｉｎｇ  Ｔｙｐｅフィールドの値を２（ＭＵ−ＭＩＭＯ）に設定する。
【０１６５】
図１７は、イニシエータ及びレスポンダが図１６のＢＲＰフレームを用いて、ＳＩＳＯ  ＢＲＰ  ＴＸＳＳ及びＳＵ−ＭＩＭＯ  ＢＦＴを行う手順を示す図である。図４、図１４と同じＢＲＰフレームには同一の番号を付与し、説明を省略する。
【０１６６】
イニシエータは、ＳＩＳＯ  ＢＲＰ  ＴＸＳＳを行うため、Ｓｅｔｕｐ  ＢＲＰフレーム７０１ａのＢＦ  Ｔｒａｉｎｉｎｇ  Ｔｙｐｅフィールドを０に設定して送信する。
【０１６７】
レスポンダは、ＳＩＳＯ  ＢＲＰ  ＴＸＳＳを実行可能であることをイニシエータへ応答するため、Ｓｅｔｕｐ  ＢＲＰフレーム７０２ａのＢＦ  Ｔｒａｉｎｉｎｇ  Ｔｙｐｅフィールドを０に設定して送信する。
【０１６８】
イニシエータは、ＳＩＳＯ  ＢＲＰ  ＴＸＳＳを完了した場合、ＳＵ−ＭＩＭＯのＳＩＳＯ  Ｆｅｅｄｂａｃｋ  ｐｒｏｃｅｄｕｒｅを行うため、を行うため、Ｆｅｅｄｂａｃｋ  ＢＲＰフレーム８１２ａのＢＦ  Ｔｒａｉｎｉｎｇ  Ｔｙｐｅフィールドを１に設定して送信する。
【０１６９】
レスポンダは、ＳＩＳＯ  Ｆｅｅｄｂａｃｋ  ｐｒｏｃｅｄｕｒｅを実行可能であることをイニシエータへ応答するため、Ｆｅｅｃｄｂａｃｋ  ＢＲＰフレーム８１３ａのＢＦ  Ｔｒａｉｎｉｎｇ  Ｔｙｐｅフィールドを１に設定して送信する。
【０１７０】
図１８は、レスポンダが図１６のＢＲＰフレームを受信した場合、ＢＦＴ手順の種類（図３、図４、図５、図６、図７、図８）を判別する手順を示すフローチャートである。図１２と同じ処理には同一の番号を付し、説明を省略する。
【０１７１】
レスポンダは、ステップＳ１００３またはステップＳ１００４においてＮｏの場合、ステップＳ１１０３ａへ進む。
【０１７２】
ステップＳ１１０３ａにおいて、レスポンダは、ＢＦ  Ｔｒａｉｎｉｎｇ  Ｔｙｐｅフィールドの値が０である場合、ステップＳ１０２０へ進む。この場合、レスポンダは、受信したＢＲＰフレームがＳＩＳＯ  ＢＦＴのためのＢＲＰフレームであるが、ＳＩＳＯ  ＢＲＰ  ＴＸＳＳ及びＭＩＭＯ  ＢＲＰ  ＴＸＳＳではないと判定する。
【０１７３】
ステップＳ１１０３ａにおいて、レスポンダは、ＢＦ  Ｔｒａｉｎｉｎｇ  Ｔｙｐｅフィールドの値が０以外である場合、ステップＳ１１０３ｂへ進む。
【０１７４】
ステップＳ１１０３ｂにおいて、レスポンダは、ＢＦ  Ｔｒａｉｎｉｎｇ  Ｔｙｐｅフィールドの値が１である場合、ステップＳ１０１５へ進む。この場合、レスポンダは、受信したＢＲＰフレームはＳＵ−ＭＩＭＯのためのＢＲＰフレームであり、ＳＩＳＯ  Ｆｅｅｄｂａｃｋ  ｐｒｏｃｅｄｕｒｅの開始を通知するフレームであると判定する。
【０１７５】
ステップＳ１１０３ａにおいて、レスポンダは、ＢＦ  Ｔｒａｉｎｉｎｇ  Ｔｙｐｅフィールドの値が１以外である場合、ステップＳ１１０３ｃへ進む。
【０１７６】
ステップＳ１１０３ｃにおいて、レスポンダは、ＢＦ  Ｔｒａｉｎｉｎｇ  Ｔｙｐｅフィールドの値が２である場合、ステップＳ１０１７へ進む。この場合、レスポンダは、受信したＢＲＰフレームはＭＵ−ＭＩＭＯのためのＢＲＰフレームであり、ＳＩＳＯ  Ｆｅｅｄｂａｃｋ  Ｓｕｂｐｈａｓｅの開始を通知するフレームであると判定する。
【０１７７】
ステップＳ１１０３ｂにおいて、レスポンダは、ＢＦ  Ｔｒａｉｎｉｎｇ  Ｔｙｐｅフィールドの値が２以外である場合、ステップＳ１０３０へ進む。この場合、レスポンダは、受信したＢＲＰフレームはサポートしない手順（例えば、１１ａｙ規格を拡張した将来規格の一部）の開始を通知するフレームであると判定する。
【０１７８】
イニシエータは、ＢＲＰフレームを用いたＳＩＳＯ  ＢＦＴ、ＳＵ−ＭＩＭＯ  ＢＦＴ、ＭＵ−ＭＩＭＯ  ＢＦＴを開始する場合、ＢＦ  Ｔｒａｉｎｉｎｇ  ＴｙｐｅフィールドをＢＲＰフレームに含めて送信する。レスポンダは、図１８の手順を用いてＢＦＴ手順の種類を判別する。レスポンダはＢＦＴ手順の種類（図３、図４、図５、図６、図７、図８）を判別することができるため、異なるＢＦＴ手順の種類を組み合わせてＢＦＴを実行して、ＢＦＴの実行時間を短縮することができる。
【０１７９】
イニシエータは、ＢＲＰ手順の初めに図１６のＢＲＰフレームのフォーマットを用いる場合、図１０Ａ〜図１０Ｄのフレームフォーマットを用いる場合と異なり、オプションの（必須でない）エレメントを含めて送信してもよい。一例として、イニシエータは、ＳＩＳＯ  ＢＲＰ  ＴＸＳＳのＳｅｔｕｐ  ＢＲＰフレーム７０１にＣｈａｎｎｅｌ  Ｍｅａｓｕｒｅｍｅｎｔ  Ｆｅｅｄｂａｃｋエレメント及びＥＤＭＧ  Ｃｈａｎｎｅｌ  Ｍｅａｄｕｒｅｍｅｎｔ  Ｆｅｅｄｂａｃｋエレメントを含め、ＳＵ−ＭＩＭＯのＳＩＳＯ  Ｆｅｅｄｂａｃｋ  ｐｒｏｃｅｄｕｒｅにおいて送信する送受信アンテナ及びＡＷＶの組み合わせとＳＮＲの情報とを含めてもよい。これにより、イニシエータは、ＳＩＳＯ  ＢＲＰ  ＴＸＳＳを完了した後、ＳＵ−ＭＩＭＯ  ＢＦＴのＳＩＳＯ  Ｆｅｅｄｂａｃｋ  ｐｒｏｃｅｄｕｒｅを省略してＭＩＭＯ  ｐｈａｓｅを開始し、ＳＵ−ＭＩＭＯ  ＢＦＴの実行時間を短縮することができる。
【０１８０】
また、レスポンダは、図１８の手順を用いてＢＦＴの種別を判別するため、ＢＲＰ手順の初めにイニシエータから送信されるＢＲＰフレームにオプションの（必須でない）エレメントが含まれていてもＢＦＴの種別を正しく判別できるため、上記のようにＳＩＳＯ  ＢＲＰ  ＴＸＳＳのＳｅｔｕｐ  ＢＲＰフレーム７０１にＣｈａｎｎｅｌ  Ｍｅａｓｕｒｅｍｅｎｔ  Ｆｅｅｄｂａｃｋエレメント及びＥＤＭＧ  Ｃｈａｎｎｅｌ  Ｍｅａｄｕｒｅｍｅｎｔ  Ｆｅｅｄｂａｃｋエレメントを含む場合、正しくＳＩＳＯ  ＢＲＰ  ＴＸＳＳを実行することができる。
【０１８１】
なお、図１６のＢＲＰフレームフォーマットにおいて、イニシエータは、ＳＩＳＯ  ＢＲＰ  ＴＸＳＳ（図４）又はＭＩＭＯ  ＢＲＰ  ＴＸＳＳ（図５）を行う場合にＢＦ  Ｔｒａｉｎｉｎｇ  Ｔｙｐｅフィールドの値を０に設定し、ＳＵ−ＭＩＭＯ  ＢＦＴのＳＩＳＯ  Ｆｅｅｄｂａｃｋ  Ｐｒｏｃｅｄｕｒｅを行う場合にＢＦ  Ｔｒａｉｎｉｎｇ  Ｔｙｐｅフィールドの値を１に設定し、ＭＵ−ＭＩＭＯ  ＢＦＴのＳＩＳＯ  Ｆｅｅｄｂａｃｋサブフェーズを行う場合にＢＦ  Ｔｒａｉｎｉｎｇ  Ｔｙｐｅフィールドの値を２に設定しても良い。
【０１８２】
図１９は、ＢＲＰフレームの図１６とは別のフォーマットの一例を示す図である。図１６と異なり、ＢＦ  Ｔｒａｉｎｉｎｇ  Ｔｙｐｅフィールドは１ビットである。
【０１８３】
イニシエータは、ＳＩＳＯ  ＢＦＴ（図３、図４、図５のＭＩＭＯ  ＢＲＰ  ＴＸＳＳ））を行う場合、ＢＦ  Ｔｒａｉｎｉｎｇ  Ｔｙｐｅフィールドの値を０に設定する。ＭＩＭＯ  ＢＦＴ（図６、図７、図８）を行う場合、ＢＦ  Ｔｒａｉｎｉｎｇ  Ｔｙｐｅフィールドの値を１に設定する。
【０１８４】
なお、図５のＭＩＭＯ  ＢＲＰ  ＴＸＳＳをＳＩＳＯ  ＢＦＴとみなし、ＢＦ  Ｔｒａｉｎｉｎｇ  Ｔｙｐｅフィールドの値を０に設定する場合について説明するが、ＭＩＭＯ  ＢＲＰ  ＴＸＳＳをＭＩＭＯ  ＢＦＴとみなし、ＢＦ  Ｔｒａｉｎｉｎｇ  Ｔｙｐｅフィールドの値を１に設定しても同様である。
【０１８５】
図２０は、レスポンダが図１９のＢＲＰフレームを受信した場合、ＢＦＴ手順の種類（図３、図４、図５、図６、図７、図８）を判別する手順を示すフローチャートである。図１２と同じ処理には同一の番号を付し、説明を省略する。
【０１８６】
レスポンダは、ステップＳ１００３またはステップＳ１００４においてＮｏの場合、ステップＳ１２０３へ進む。
【０１８７】
ステップＳ１２０３において、レスポンダは、ＢＦ  Ｔｒａｉｎｉｎｇ  Ｔｙｐｅフィールドの値が０である場合、ステップＳ１０２０へ進む。この場合、レスポンダは、受信したＢＲＰフレームはＳＩＳＯ  ＢＦＴのためのＢＲＰフレームであるが、ＳＩＳＯ  ＢＲＰ  ＴＸＳＳ及びＭＩＭＯ  ＢＲＰ  ＴＸＳＳではないと判定する。
【０１８８】
ステップＳ１２０３において、レスポンダは、ＢＦ  Ｔｒａｉｎｉｎｇ  Ｔｙｐｅフィールドの値が１である場合、ステップＳ１００６へ進む。この場合、レスポンダは、受信したＢＲＰフレームはＳＵ−ＭＩＭＯ  ＢＦＴまたはＭＵ−ＭＩＭＯ  ＢＦＴのためのＢＲＰフレームであると判定する。ステップＳ１００６におけるレスポンダの処理は図１２と同様である。
【０１８９】
なお、図１９のＢＲＰフレームフォーマットにおいて、イニシエータは、ＳＵ−ＭＩＭＯ  ＢＦＴのＳＩＳＯ  Ｆｅｅｄｂａｃｋ  Ｐｒｏｃｅｄｕｒｅ又はＭＵ−ＭＩＭＯ  ＢＦＴのＳＩＳＯ  Ｆｅｅｄｂａｃｋサブフェーズを行う場合にＢＦ  Ｔｒａｉｎｉｎｇ  Ｔｙｐｅフィールドの値を１に設定し、その他の場合にＢＦ  Ｔｒａｉｎｉｎｇ  Ｔｙｐｅフィールドを０に設定しても良い。
【０１９０】
また、図１９のＢＲＰフレームフォーマットにおいて、イニシエータは、ＭＵ−ＭＩＭＯ  ＢＦＴのＳＩＳＯ  Ｆｅｅｄｂａｃｋサブフェーズを行う場合にＢＦ  Ｔｒａｉｎｉｎｇ  Ｔｙｐｅフィールドの値を１に設定し、その他の場合にＢＦ  Ｔｒａｉｎｉｎｇ  Ｔｙｐｅフィールドを０に設定しても良い。レスポンダは、図２０のステップＳ１２０３においてＢＦ  Ｔｒａｉｎｉｎｇ  Ｔｙｐｅの値が０であるか否かを判定する代わりに、図１２のＳ１００３と同様にＥＤＭＧ  ＢＲＰ  Ｒｅｑｕｅｓｔエレメントが存在する場合にステップＳ１１０３ｂへ、存在しない場合にステップＳ１００６へ進むようにし、ステップＳ１００６において、ＢＦ  Ｔｒａｉｎｉｎｇ  Ｔｙｐｅフィールドの値が０の場合にステップＳ１０１５へ進み、１の場合にステップＳ１０１７へ進むようにしても良い。
【０１９１】
イニシエータは、ＢＲＰフレームを用いたＳＩＳＯ  ＢＦＴ、ＳＵ−ＭＩＭＯ  ＢＦＴ、ＭＵ−ＭＩＭＯ  ＢＦＴを開始する場合、ＢＦ  Ｔｒａｉｎｉｎｇ  ＴｙｐｅフィールドをＢＲＰフレームに含めて送信する。レスポンダは、図１８の手順を用いてＢＦＴ手順の種類を判別する。レスポンダはＢＦＴ手順の種類（図３、図４、図５、図６、図７、図８）を判別することができるため、異なるＢＦＴ手順の種類を組み合わせてＢＦＴを実行して、ＢＦＴの実行時間を短縮することができる。
【０１９２】
イニシエータは、図１６のＢＲＰフレームの代わりに図１９のＢＲＰフレームをＢＲＰ手順の初めに用いるため、ＢＦ  Ｔｒａｉｎｉｎｇ  Ｔｙｐｅフィールドのビット数が少なくてよく、多くのＲｅｓｅｒｖｅｄビットを残すことができるので、図１９のＢＲＰフレームは将来機能の拡張が容易である。
【０１９３】
（実施の形態３）
通信装置１００は、ＳＵ−ＭＩＭＯ  ＢＦＴのＳＩＳＯ  ｐｈａｓｅ（図６を参照）において送信したフィードバックの値を、ＳＩＳＯ  ＢＦＴのＢｅａｍ  Ｒｅｆｉｎｅｍｅｎｔ  Ｔｒａｎｓａｃｔｉｏｎに用いる。ＳＩＳＯトレーニングのためのＢＲＰにおけるＳｅｔｕｐ  ｓｕｂｐｈａｓｅ（図３を参照）を省略でき、早期にトレーニングを完了することができる。
【０１９４】
図２１は、イニシエータ及びレスポンダがＳＩＳＯ  ＢＦＴとＳＵ−ＭＩＭＯ  ＢＦＴを行う手順の一例を示す図である。図４、図６、図１７と同様のＢＲＰフレームには同一の番号を付与し、説明を省略する。
【０１９５】
イニシエータ及びレスポンダは、図６と同様に、ＳＩＳＯ  ＢＦＴ（ＴＸＳＳ８１１）、ＳＵ−ＭＩＭＯ  ＢＦＴ（ＳＩＳＯ  Ｆｅｅｄｂａｃｋ  ｐｒｏｃｅｄｕｒｅ及びＭＩＭＯ  ｐｈａｓｅを含む）を実行する。なお、ＳＩＳＯ  Ｆｅｅｄｂａｃｋ  ｐｒｏｃｅｄｕｒｅにおいて、イニシエータは、図１０Ａ〜図１０Ｄ、図１６、図１９のＢＲＰフレームを用いてもよい。
【０１９６】
イニシエータは、ＳＵ−ＭＩＭＯ  ＢＦＴを完了した後、Ｂｅａｍ  Ｒｅｆｉｎｅｍｅｎｔ  Ｔｒａｎｓａｃｔｉｏｎを実行する。（ＢＲＰフレーム６０６，６０７，６０８）
【０１９７】
イニシエータ及びレスポンダは、Ｂｅａｍ  Ｒｅｆｉｎｅｍｅｎｔ  Ｔｒａｎｓａｃｔｉｏｎを実行する場合、Ｆｅｅｄｂａｃｋ  ＢＲＰフレーム８１２ａ及び８１３ａに含まれるＣｈａｎｎｅｌ  Ｍｅａｓｕｒｅｍｅｎｔ  Ｆｅｅｄｂａｃｋエレメント及びＥＤＭＧ  Ｃｈａｎｎｅｌ  Ｍｅａｄｕｒｅｍｅｎｔ  Ｆｅｅｄｂａｃｋフィールドの値（ＥＤＭＧＳｅｃｔｏｒ  ＩＤ  Ｏｒｄｅｒフィールド及びＳＮＲフィールドの値）を参照して、Ｂｅａｍ  Ｒｅｆｉｎｅｍｅｎｔ  Ｔｒａｎｓａｃｔｉｏｎを行うＡＷＶを決定する。このため、イニシエータ及びレスポンダは、Ｂｅａｍ  Ｒｅｆｉｎｅｍｅｎｔ  Ｔｒａｎｓａｃｔｉｏｎを実行する前に、ＳＩＳＯ  ＢＲＰのＳｅｔｕｐ  ｓｕｂｐｈａｓｅ（図３を参照）を省略することができる。
【０１９８】
イニシエータ及びレスポンダは、Ｂｅａｍ  Ｒｅｆｉｎｅｍｅｎｔ  Ｔｒａｎｓａｃｔｉｏｎを完了することにより、ＳＩＳＯ  ＢＦＴを完了する。
【０１９９】
図２１の手順により、イニシエータ及びレスポンダは、ＳＩＳＯ  ＢＦＴとＳＵ−ＭＩＭＯ  ＢＦＴを組み合わせて実行することができ、ＳＩＳＯ  ＢＲＰのＳｅｔｕｐ  ｓｕｂｐｈａｓｅを省略して、ＳＩＳＯ  ＢＦＴとＳＵ−ＭＩＭＯ  ＢＦＴの両方を実行する時間を短縮することができる。
【０２００】
（実施の形態３の変形例１）
通信装置１００は、ＳＵ−ＭＩＭＯ  ＢＦＴのＳＩＳＯ  ｐｈａｓｅ（図６を参照）において送信したフィードバックの値を、ＳＩＳＯ  ＢＦＴのＢｅａｍ  Ｒｅｆｉｎｅｍｅｎｔ  Ｔｒａｎｓａｃｔｉｏｎに用い、ＳＩＳＯ  ｐｈａｓｅとＭＩＭＯ  ｐｈａｓｅの間にＳＩＳＯ  ＢＦＴ（Ｂｅａｍ  Ｒｅｆｉｎｅｍｅｎｔ  Ｔｒａｎｓａｃｔｉｏｎ）を挿入して実行する。ＳＩＳＯトレーニングのためのＢＲＰにおけるＳｅｔｕｐ  ｓｕｂｐｈａｓｅ（図３を参照）を省略でき、早期にトレーニングを完了することができる。
【０２０１】
図２２は、イニシエータ及びレスポンダがＳＩＳＯ  ＢＦＴとＳＵ−ＭＩＭＯ  ＢＦＴを行う手順の一例を示す図である。図４、図６、図１７と同様のＢＲＰフレームには同一の番号を付与し、説明を省略する。
【０２０２】
イニシエータ及びレスポンダは、図６と同様に、ＳＩＳＯ  ＢＦＴ（ＴＸＳＳ８１１）、ＳＵ−ＭＩＭＯ  ＢＦＴ（ＳＩＳＯ  Ｆｅｅｄｂａｃｋ  ｐｒｏｃｅｄｕｒｅ）を実行する。なお、ＳＩＳＯ  Ｆｅｅｄｂａｃｋ  ｐｒｏｃｅｄｕｒｅにおいて、イニシエータは、図１０Ａ〜図１０Ｄ、図１６、図１９のＢＲＰフレームを用いてもよい。
【０２０３】
イニシエータは、ＳＩＳＯ  Ｆｅｅｄｂａｃｋ  ｐｒｏｃｅｄｕｒｅ完了後、ＳＩＳＯ  ＢＲＰのＢｅａｍ  Ｒｅｆｉｎｅｍｅｎｔ  Ｔｒａｎｓａｃｔｉｏｎを開始する。イニシエータ及びレスポンダは、Ｂｅａｍ  Ｒｅｆｉｎｅｍｅｎｔ  Ｔｒａｎｓａｃｔｉｏｎを実行する場合、Ｆｅｅｄｂａｃｋ  ＢＲＰフレーム８１２ａ及び８１３ａに含まれるＣｈａｎｎｅｌ  Ｍｅａｓｕｒｅｍｅｎｔ  Ｆｅｅｄｂａｃｋエレメント及びＥＤＭＧ  Ｃｈａｎｎｅｌ  Ｍｅａｄｕｒｅｍｅｎｔ  Ｆｅｅｄｂａｃｋフィールドの値（ＥＤＭＧＳｅｃｔｏｒ  ＩＤ  Ｏｒｄｅｒフィールド及びＳＮＲフィールドの値）を参照して、Ｂｅａｍ  Ｒｅｆｉｎｅｍｅｎｔ  Ｔｒａｎｓａｃｔｉｏｎを行うＡＷＶを決定する。このため、イニシエータ及びレスポンダは、Ｂｅａｍ  Ｒｅｆｉｎｅｍｅｎｔ  Ｔｒａｎｓａｃｔｉｏｎを実行する前に、ＳＩＳＯ  ＢＲＰのＳｅｔｕｐ  ｓｕｂｐｈａｓｅ（図３を参照）を省略することができる。
【０２０４】
イニシエータは、Ｂｅａｍ  Ｒｅｆｉｎｅｍｅｎｔ  Ｔｒａｎｓａｃｔｉｏｎ完了後、ＭＩＭＯ  ｐｈａｓｅを開始する。イニシエータ及びレスポンダは、ＳＩＳＯ  Ｆｅｅｄｂａｃｋ  ｐｒｏｃｅｄｕｒｅは完了済みであるため、省略できる。
【０２０５】
図２２の手順により、イニシエータ及びレスポンダは、ＳＩＳＯ  ＢＦＴとＳＵ−ＭＩＭＯ  ＢＦＴを組み合わせて実行することができ、ＳＩＳＯ  ＢＲＰのＳｅｔｕｐ  ｓｕｂｐｈａｓｅを省略して、ＳＩＳＯ  ＢＦＴとＳＵ−ＭＩＭＯ  ＢＦＴの両方を実行する時間を短縮することができる。
【０２０６】
（実施の形態３の変形例２）
通信装置１００は、図５のＭＩＭＯ  ＢＲＰ  ＴＸＳＳ中にＳＩＳＯのベストセクタを更新する。これをＳＩＳＯ／ＭＩＭＯ  ＢＲＰ  ＴＸＳＳと呼ぶ。ＳＩＳＯトレーニングを省略でき、早期にトレーニングを完了することができる。
【０２０７】
図２３は、イニシエータ及びレスポンダがＳＩＳＯ  ＢＦＴとＳＵ−ＭＩＭＯ  ＢＦＴを行う手順の一例を示す図である。図４、図５と同様のＢＲＰフレームには同一の番号を付与し、説明を省略する。
【０２０８】
イニシエータは、Ｓｅｔｕｐ  ＢＲＰフレーム１７０１を送信する。
【０２０９】
図２４は、ＢＲＰフレーム１７０１のフォーマットを示す図である。ＢＲＰフレーム１７０１は、ＴＸＳＳ−ＳＩＳＯフィールド、及びＴＸＳＳ−ＭＩＭＯフィールドを含む。イニシエータは、図２３のＢＦＴ手順を行う場合、Ｓｅｔｕｐ  ＢＲＰフレーム１７０１において、ＴＸＳＳ−ＳＩＳＯフィールドを１、ＴＸＳＳ−ＭＩＭＯフィールドを１に設定して送信する。また、イニシエータは、Ｓｅｔｕｐ  ＢＲＰフレーム１７０１に、受信ＡＷＶのトレーニングに関する情報（例えば、Ｌ−ＲＸフィールドに受信ＡＷＶ数を設定する）を含めて送信してもよい。
【０２１０】
レスポンダは、Ｓｅｔｕｐ  ＢＲＰフレーム１７０１を受信した場合、Ｓｅｔｕｐ  ＢＲＰフレーム１７０２のＴＸＳＳ−ＳＩＳＯフィールドを１、ＴＸＳＳ−ＭＩＭＯフィールドを１に設定して送信する。
【０２１１】
イニシエータ及びレスポンダは、ＥＤＭＧ  ＢＲＰ−ＴＸフレーム１７０３及び１７０６を送信する。ＥＤＭＧ  ＢＲＰ−ＴＸフレーム１７０３及び１７０６は、ＥＤＭＧ  ＢＲＰ−ＴＸフレーム７０３及び７０６、及びＥＤＭＧ  ＢＲＰ−ＴＸフレーム８０３及び８０５と同様であるが、イニシエータ及びレスポンダは、ＥＤＭＧ  ＢＲＰ−ＴＸフレーム１７０６及び１７０３を受信する場合、ＳＩＳＯ  ＢＦＴ及びＳＵ−ＭＩＭＯ  ＢＦＴのＳＩＳＯフェーズと同様の処理を行う。つまり、ＳＩＳＯ  ＢＦＴに必要なベストセクタの選択と、ＭＩＭＯ  ＢＦＴに必要なＡＷＶのリストの保存をそれぞれ行う。
【０２１２】
イニシエータ及びレスポンダは、Ｆｅｅｄｂａｃｋ  ＢＲＰフレーム１７０４及び１７０７を送信する。Ｆｅｅｄｂａｃｋ  ＢＲＰフレーム１７０４及び１７０７は、ＳＩＳＯ  ＢＦＴの結果に相当するベストセクタの情報（例えば、ＢＳ−ＦＢＣＫフィールドに含める）、及びＳＵ−ＭＩＭＯ  ＢＦＴのＳＩＳＯフェーズにおけるフィードバック（例えば、Ｃｈａｎｎｅｌ  Ｍｅａｓｕｒｅｍｅｎｔ  Ｆｅｅｄｂａｃｋエレメント、ＥＤＭＧ  Ｃｈａｎｎｅｌ  Ｍｅａｄｕｒｅｍｅｎｔ  Ｆｅｅｄｂａｃｋエレメントに含めるＥＤＭＧ  Ｓｅｃｔｏｒ  ＩＤ  Ｏｒｄｅｒフィールド及びＳＮＲフィールドの値）の両方を含む。
【０２１３】
イニシエータ及びレスポンダは、ＥＤＭＧ  ＢＲＰ−ＲＸフレーム７０５及び７０８を用いて、図４と同様に、ＳＩＳＯにおける受信ＡＷＶのトレーニングを行ってもよい。
【０２１４】
イニシエータは、ＳＩＳＯ／ＭＩＭＯ  ＢＲＰ  ＴＸＳＳを完了後、ＭＩＭＯ  ＢＦ  Ｓｅｔｕｐ  ＢＲＰフレーム８５１ａを送信し、ＭＩＭＯフェーズを行う。
【０２１５】
なお、イニシエータは、ＳＩＳＯ  ＢＲＰ  ＴＸＳＳ（図４）を行う場合、Ｓｅｔｕｐ  ＢＲＰフレーム７０１において図２４のフォーマットを用い、ＴＸＳＳ−ＳＩＳＯフィールドを１、ＴＸＳＳ−ＭＩＭＯフィールドを０に設定して送信してもよい。
【０２１６】
なお、イニシエータは、ＭＩＭＯ  ＢＲＰ  ＴＸＳＳ（図５）を行う場合、Ｓｅｔｕｐ  ＢＲＰフレーム８０１において図２４のフォーマットを用い、ＴＸＳＳ−ＳＩＳＯフィールドを０、ＴＸＳＳ−ＭＩＭＯフィールドを１に設定して送信してもよい。
【０２１７】
イニシエータは、ＳＵ−ＭＩＭＯのＳＩＳＯフェーズを開始する場合、Ｓｅｔｕｐ  ＢＲＰフレーム１７０１にＴＸＳＳ−ＳＩＳＯフィールド及びＴＸＳＳ−ＭＩＭＯフィールドを含め、それぞれ１に設定して送信する。
【０２１８】
以上より、イニシエータ及びレスポンダは、ＳＵ−ＭＩＭＯのＳＩＳＯフェーズにＳＩＳＯ  ＢＦＴ及びＳＵ−ＭＩＭＯのＳＩＳＯフェーズのトレーニングを完了することができるため、ＳＩＳＯ  ＢＲＰ  ＴＸＳＳの実行を省略して、ＳＩＳＯ  ＢＦＴとＳＵ−ＭＩＭＯ  ＢＦＴとを実行する時間を短縮することができる。
【０２１９】
本開示は、ソフトウェア、ハードウェア、またはハードウェアと連携したソフトウェアによって実現することができる。上記の各実施形態の記載で使用されている各機能ブロックは、集積回路としてＬＳＩによって実現することができ、各実施形態に記載の各プロセスはＬＳＩによって制御してもよい。それらは、個々にチップとして形成してもよく、または一部またはすべての機能ブロックを含むように１つのチップを形成してもよい。それらは、それらに結合されたデータ入出力を含んでもよい。ここで、ＬＳＩは、集積度の違いにより、ＩＣ、システムＬＳＩ、スーパーＬＳＩ、またはウルトラＬＳＩと称され得る。ただし、集積回路を実装する技術はＬＳＩに限定されず、専用回路または汎用プロセッサを使用して実現されてもよい。また、ＬＳＩの製造後にプログラムすることができるＦＰＧＡ（フィールドプログラマブルゲートアレイ：Ｆｉｅｌｄ  Ｐｒｏｇｒａｍｍａｂｌｅ  Ｇａｔｅ  Ａｒｒａｙ）、またはＬＳＩ内に配置された回路セルの接続および設定を再構成することができる再構成可能プロセッサを使用してもよい。
【０２２０】
なお、本開示は、当業者によって、本明細書で提示された記載および既知の技術に基づいて、本開示の内容および範囲から逸脱することなく、種々変更または変形されることを意図しており、かかる変更および応用は、保護を請求する範囲に含まれる。さらに、本開示の内容から逸脱しない範囲において、上記の実施形態の構成要素を任意に組み合わせてもよい。
【０２２１】
本開示の第１の一般的な態様では、イニシエータは、ＴＸＳＳ（送信セクタスイープ）終了後、ＳＵ−ＭＩＭＯ（Single User Multi-Input Multi-Output）のＢＦＴ（ビームフォーミングトレーニング）を実施するか否かを示すBF training type FIELDを含む第１フィードバックフレームをレスポンダに送信し、前記レスポンダは、前記第１フィードバックフレームを受信し、前記BF training type FIELDが前記ＳＵ−ＭＩＭＯのＢＦＴを実施することを示す場合、前記ＴＸＳＳの結果に基づいた、ＳＮＲ(Ｓｉｇｎａｌ  ｔｏ  Ｎｏｉｓｅ  Ｒａｔｉｏ)とセクタＩＤ（Ｉｄｅｎｔｉｆｉｅｒ）オーダーとを含む第２フィードバックを前記イニシエータに送信し、前記イニシエータは、前記前記第２フィードバックを受信し、前記ＳＮＲと前記セクタＩＤオーダーとに基づいて、前記レスポンダとの間で、前記ＳＵ−ＭＩＭＯOのＢＦＴを実施する、通信方法を提供する。
【０２２２】
本開示の第２の一般的な態様では、ＴＸＳＳ終了後、ＳＵ−ＭＩＭＯのＢＦＴを実施するか否かを示すBF training type FIELDを含むフィードバックフレームをレスポンダに送信し、前記レスポンダから前記ＴＸＳＳの結果に基づいた、ＳＮＲとセクタＩＤオーダーと、を含む第２フィードバック受信した場合、前記ＳＮＲと前記セクタＩＤオーダーとに基づいて、前記レスポンダとの間で、前記ＳＵ−ＭＩＭＯのＢＦＴを実施する、イニシエータの通信方法を提供する。
【０２２３】
本開示の第３の一般的な態様では、ＴＸＳＳ（送信セクタスイープ）終了後、ＳＵ−ＭＩＭＯ（Single User Multi-Input Multi-Output）のＢＦＴ（ビームフォーミングトレーニング）を実施するか否かを示すBF training type FIELDを含む第１フィードバックフレームをイニシエータから受信し、前記BF training type FIELDが前記ＳＵ−ＭＩＭＯのＢＦＴを実施することを示す場合、前記ＴＸＳＳの結果に基づいた、ＳＮＲ(Ｓｉｇｎａｌ  ｔｏ  Ｎｏｉｓｅ  Ｒａｔｉｏ)とセクタＩＤ（Ｉｄｅｎｔｉｆｉｅｒ）オーダーとを含む第2フィードバックを前記イニシエータに送信し、前記ＳＮＲと前記セクタＩＤオーダーとに基づいて、前記レスポンダとの間で、前記ＳＵ−ＭＩＭＯのＢＦＴを実施する、レスポンダの通信方法を提供する。
【０２２４】
本開示の第４の一般的な態様では、ＭＡＣ回路は、ＴＸＳＳ終了後、ＳＵ−ＭＩＭＯのＢＦＴを実施するか否かを示すBF  training  type  FIELDを含む第１のフィードバックフレームを生成し、送信回路は、前記第１のフィードバックフレームをレスポンダに送信し、受信回路は、前記レスポンダから第２フィードバックを受信し、前記ＭＡＣ回路は、前記第２のフィードバックフレームが、前記レスポンダから前記ＴＸＳＳの結果に基づいた、ＳＮＲとセクタＩＤオーダーと、を含む場合、前記ＳＮＲと前記セクタＩＤオーダーとに基づいて、前記レスポンダとのＢＦＴを前記送信回路、前記受信回路を用いて実施する、イニシエータの通信装置を提供する。
【０２２５】
本開示の第５の一般的な態様では、受信回路は、ＴＸＳＳ（送信セクタスイープ）終了後、ＳＵ−ＭＩＭＯ（Single User Multi-Input Multi-Output）のＢＦＴ（ビームフォーミングトレーニング）を実施するか否かを示すBF training type FIELDを含む第１フィードバックフレームをイニシエータから受信し、ＭＡＣ回路は、前記BF training type FIELDが前記ＳＵ−ＭＩＭＯのＢＦＴを実施することを示す場合、前記ＴＸＳＳの結果に基づいた、ＳＮＲ(Ｓｉｇｎａｌ  ｔｏ  Ｎｏｉｓｅ  Ｒａｔｉｏ)とセクタＩＤ（Ｉｄｅｎｔｉｆｉｅｒ）オーダーとを含む第２フィードバックを生成し、送信回路は、前記第２フィードバックを前記イニシエータに送信し、前記ＭＡＣ回路は、前記送信回路が、前記第２フィードバックを前記イニシエータに送信した後に、前記ＳＮＲと前記セクタＩＤオーダーとに基づいて、前記イニシエータとの間で、前記送信回路と前記受信回路とを用いて、前記ＳＵ−ＭＩＭＯのＢＦＴを実施する、レスポンダの通信装置を提供する。
【産業上の利用可能性】
【０２２６】
本開示は、８０２．１１ａｄ規格に準拠した通信装置として好適である。
【符号の説明】
【０２２７】
１００、２００、３００  通信装置
１０１ａ、１０１ｂ、２０１ａ、２０１ｂ、３０１ａ、３０１ｂ  アンテナアレイ（送信アンテナ、受信アンテナ）
１０２ａ、１０２ｂ  スイッチ回路（ＳＷ）
１０３ａ、１０３ｂ  送信ＲＦ（Radio Frequency）回路
１０４ａ、１０４ｂ  受信ＲＦ回路
１０９、１０９ａ  ＲＦモジュール回路
１１０、１１０ａ  ＰＨＹ回路
１１１ａ、１１１ｂ  Ｄ／Ａコンバータ
１１２ａ、１１２ｂ  Ａ／Ｄコンバータ
１１３  アレイ制御回路
１１４  符号化・変調回路
１１５  復調・復号回路
１２０  ＭＡＣ回路
１２１  アクセス制御回路
１２２  フレーム生成回路
１２３  フレーム受信回路
１２４  ＢＦ（ビームフォーミング）制御回路
１３０  ホスト
１５１、１５２  ＩＦ（Intermediate Frequency）転送回路
１５３  ＩＦケーブル
【図１】
2019193261.tif 000003
【図２Ａ】
2019193261.tif 000004
【図２Ｂ】
2019193261.tif 000005
【図３】
2019193261.tif 000006
【図４】
2019193261.tif 000007
【図５】
2019193261.tif 000008
【図６】
2019193261.tif 000009
【図７】
2019193261.tif 000010
【図８】
2019193261.tif 000011
【図９】
2019193261.tif 000012
【図１０Ａ】
2019193261.tif 000013
【図１０Ｂ】
2019193261.tif 000014
【図１０Ｃ】
2019193261.tif 000015
【図１０Ｄ】
2019193261.tif 000016
【図１１】
2019193261.tif 000017
【図１２】
2019193261.tif 000018
【図１３】
2019193261.tif 000019
【図１４】
2019193261.tif 000020
【図１５】
2019193261.tif 000021
【図１６】
2019193261.tif 000022
【図１７】
2019193261.tif 000023
【図１８】
2019193261.tif 000024
【図１９】
2019193261.tif 000025
【図２０】
2019193261.tif 000026
【図２１】
2019193261.tif 000027
【図２２】
2019193261.tif 000028
【図２３】
2019193261.tif 000029
【図２４】
2019193261.tif 000030